(57)【要約】  本開示は、データ転送トンネル決定方法、ＡＭＦおよび基地局を提供する。当該方法において、ＭＭＥから転送されるターゲットＵＥのデータ転送情報を受信し、５ＧコアネットワークからターゲットＵＥの各ベアラに設定したＱｏＳフロー、および、ベアラとＱｏＳフローとのマッピング関係を取得することと、ここで、前記データ転送情報は、ＥＰＳからターゲットＵＥに割り当てたベアラリスト、および、ターゲットＵＥの対応する各ベアラにデータ転送が存在するかについての、ソース４Ｇ基地局から決定された指示を含み、データ転送情報、設定されたＱｏＳフロー、およびベアラとＱｏＳフローとのマッピング関係をターゲット５Ｇ基地局に送信することと、ターゲット５Ｇ基地局からデータ転送情報、設定されたＱｏＳフロー、およびベアラとＱｏＳフローとのマッピング関係に基づいてターゲットＵＥに設定した５Ｇ基地局の転送トンネル情報を受信することと、を含む。【選択図】  図１
2021503769.tif 000002
【特許請求の範囲】
【請求項１】
ＡＭＦ（Ａｃｅｓｓ  ａｎｄ  Ｍｏｂｉｌｉｔｙ  Ｍａｎａｇｅｍｅｎｔ  Ｆｕｎｃｔｉｏｎ）に応用されるデータ転送トンネル決定方法において、
ＭＭＥ（Ｍｏｂｉｌｉｔｙ  Ｍａｎａｇｅｍｅｎｔ  Ｅｎｔｉｔｙ）から転送されるターゲットＵＥ（Ｕｓｅｒ  Ｅｑｕｉｐｍｅｎｔ）のデータ転送情報を受信し、５Ｇ（５ｔｈ−Ｇｅｎｅｒａｔｉｏｎ）コアネットワークからターゲットＵＥの各ベアラに設定したＱｏＳ（Ｑｕａｌｉｔｙ  ｏｆ  Ｓｅｒｖｉｃｅ）フロー、および、ベアラとＱｏＳフローとのマッピング関係を取得することと、
ここで、前記データ転送情報は、ＥＰＳ（Ｅｖｏｌｖｅｄ  Ｐａｃｋｅｔ  Ｓｙｓｔｅｍ）から前記ターゲットＵＥに割り当てたベアラリスト、および、前記ターゲットＵＥの対応する各ベアラにデータ転送が存在するかについての、ソース４Ｇ（４ｔｈ−Ｇｅｎｅｒａｔｉｏｎ）基地局から決定された指示を含み、
前記データ転送情報、設定されたＱｏＳフロー、およびベアラとＱｏＳフローとのマッピング関係を、ターゲット５Ｇ基地局に送信することと、
前記ターゲット５Ｇ基地局から前記データ転送情報、設定されたＱｏＳフロー、およびベアラとＱｏＳフローとのマッピング関係に基づいて前記ターゲットＵＥに設定した５Ｇ基地局の転送トンネル情報を受信することと、
を含む、データ転送トンネル決定方法。
【請求項２】
前記のＭＭＥから転送されるターゲットＵＥのデータ転送情報を受信することは、
ソース４Ｇ基地局から送信される切り替え要請メッセージをＭＭＥが受信した後に送信した転送リディレクト要求を受信することを含み、
前記切り替え要請メッセージに前記データ転送情報が付帯され、前記転送リディレクト要求に前記データ転送情報が付帯され、
ここで、前記データ転送情報は、前記切り替え要請メッセージと前記転送リディレクト要求のトランスペアレント・コンテナにそれぞれ位置し、または、前記切り替え要請メッセージと前記転送リディレクト要求の情報エレメントにそれぞれ位置する、請求項１に記載のデータ転送トンネル決定方法。
【請求項３】
前記の前記データ転送情報、設定されたＱｏＳフロー、およびベアラとＱｏＳフローとのマッピング関係をターゲット５Ｇ基地局に送信することは、
前記データ転送情報、設定されたＱｏＳフロー、およびベアラとＱｏＳフローとのマッピング関係が付帯された切り替え要求を前記ターゲット５Ｇ基地局に送信することを含み、
ここで、前記データ転送情報は、前記切り替え要求のトランスペアレント・コンテナに位置し、または、前記切り替え要求の情報エレメントに位置する、請求項１に記載のデータ転送トンネル決定方法。
【請求項４】
前記の前記ターゲット５Ｇ基地局から前記ターゲットＵＥに設定した５Ｇ基地局の転送トンネル情報を受信することは、
前記ターゲット５Ｇ基地局から前記切り替え要求に基づいて送信される切り替え応答を受信することを含み、
前記切り替え応答に前記５Ｇ基地局の転送トンネル情報が含まれ、
ここで、前記データ転送情報が前記切り替え要求のトランスペアレント・コンテナに位置する場合、前記５Ｇ基地局の転送トンネル情報は、前記ターゲットＵＥの５Ｇ基地局転送トンネルおよび前記ターゲットＵＥのデータ転送が存在するベアラおよび／またはＱｏＳフローを含み、
前記データ転送情報が前記切り替え要求の情報エレメントに位置する場合、前記５Ｇ基地局の転送トンネル情報は、前記ターゲットＵＥの５Ｇ基地局転送トンネルを含む、請求項３に記載のデータ転送トンネル決定方法。
【請求項５】
前記５Ｇ基地局の転送トンネル情報に基づき、５Ｇコアネットワークから前記ターゲットＵＥに設定した５Ｇコアネットワークの転送トンネルを取得し、前記５Ｇコアネットワークの転送トンネルを前記ＭＭＥに送信し、前記ＭＭＥから前記ターゲットＵＥに４Ｇコアネットワークの転送トンネルを再度割り当て、前記４Ｇコアネットワークの転送トンネルをソース４Ｇ基地局に送信することをさらに含む、請求項１に記載のデータ転送トンネル決定方法。
【請求項６】
４Ｇ基地局に応用されるデータ転送トンネル決定方法において、
ターゲットＵＥがシステム切り替え条件を満たした場合、データ転送情報をＭＭＥに送信し、前記ＭＭＥから前記データ転送情報をＡＭＦに転送することを含み、
ここで、前記データ転送情報は、ＥＰＳからターゲットＵＥに割り当てたベアラリスト、および、前記ターゲットＵＥの対応する各ベアラにデータ転送が存在するかについての、前記４Ｇ基地局から決定された指示を含む、データ転送トンネル決定方法。
【請求項７】
前記のデータ転送情報をＭＭＥに送信することは、
前記データ転送情報が付帯された切り替え要請メッセージを前記ＭＭＥに送信することを含む、請求項６に記載のデータ転送トンネル決定方法。
【請求項８】
前記データ転送情報は、前記切り替え要請メッセージのトランスペアレント・コンテナに位置し、または、前記切り替え要請メッセージの情報エレメントに位置する、請求項７に記載のデータ転送トンネル決定方法。
【請求項９】
５Ｇ基地局に応用されるデータ転送トンネル決定方法において、
ＡＭＦから送信されるターゲットＵＥのデータ転送情報、設定されたＱｏＳフロー、およびベアラとＱｏＳフローとのマッピング関係を受信することと、
ここで、前記データ転送情報は、ＥＰＳからターゲットＵＥに割り当てたベアラリスト、および、前記ターゲットＵＥの対応する各ベアラにデータ転送が存在するかについての、ソース４Ｇ基地局から決定された指示を含み、
前記データ転送情報、設定されたＱｏＳフロー、およびベアラとＱｏＳフローとのマッピング関係に基づいて、前記ターゲットＵＥの５Ｇ基地局の転送トンネル情報を設定することと、
前記５Ｇ基地局の転送トンネル情報を前記ＡＭＦに送信することと、
を含む、データ転送トンネル決定方法。
【請求項１０】
前記のＡＭＦから送信されるターゲットＵＥのデータ転送情報、設定されたＱｏＳフロー、およびベアラとＱｏＳフローとのマッピング関係を受信することは、
前記ＡＭＦから送信された切り替え要求を受信することを含み、
前記切り替え要求に前記データ転送情報、設定されたＱｏＳフロー、およびベアラとＱｏＳフローとのマッピング関係が付帯され、
ここで、前記データ転送情報は、前記切り替え要求のトランスペアレント・コンテナに位置し、または、前記切り替え要求の情報エレメントに位置する、請求項９に記載のデータ転送トンネル決定方法。
【請求項１１】
前記の前記５Ｇ基地局の転送トンネル情報を前記ＡＭＦに送信することは、
前記切り替え要求に基づいて、前記５Ｇ基地局の転送トンネル情報が付帯された切り替え応答を前記ＡＭＦに送信することを含み、
ここで、前記データ転送情報が前記切り替え要求のトランスペアレント・コンテナに位置する場合、前記５Ｇ基地局の転送トンネル情報は、前記ターゲットＵＥの５Ｇ基地局転送トンネルおよび前記ターゲットＵＥのデータ転送が存在するベアラおよび／またはＱｏＳフローを含み、
前記データ転送情報が前記切り替え要求の情報エレメントに位置する場合、前記５Ｇ基地局の転送トンネル情報は、前記ターゲットＵＥの５Ｇ基地局転送トンネルを含む、請求項１０に記載のデータ転送トンネル決定方法。
【請求項１２】
トランシーバと、メモリと、プロセッサと、前記メモリに格納されて前記プロセッサで実行可能なコンピュータプログラムを含むＡＭＦにおいて、
前記トランシーバは、
ＭＭＥから転送されるターゲットＵＥのデータ転送情報を受信し、５ＧコアネットワークからターゲットＵＥの各ベアラに設定したＱｏＳフロー、および、ベアラとＱｏＳフローとのマッピング関係を取得することと、
ここで、前記データ転送情報は、ＥＰＳから前記ターゲットＵＥに割り当てたベアラリスト、および、前記ターゲットＵＥの対応する各ベアラにデータ転送が存在するかについての、ソース４Ｇ基地局から決定された指示を含み、
前記データ転送情報、設定されたＱｏＳフロー、およびベアラとＱｏＳフローとのマッピング関係を、ターゲット５Ｇ基地局に送信することと、
前記ターゲット５Ｇ基地局から前記データ転送情報、設定されたＱｏＳフロー、およびベアラとＱｏＳフローとのマッピング関係に基づいて前記ターゲットＵＥに設定した５Ｇ基地局の転送トンネル情報を受信することと、に用いられる、ＡＭＦ。
【請求項１３】
前記トランシーバは、さらに、
ソース４Ｇ基地局から送信される切り替え要請メッセージをＭＭＥが受信した後に送信した転送リディレクト要求を受信することに用いられ、
前記切り替え要請メッセージに前記データ転送情報が付帯され、前記転送リディレクト要求に前記データ転送情報が付帯され、
ここで、前記データ転送情報は、前記切り替え要請メッセージと前記転送リディレクト要求のトランスペアレント・コンテナにそれぞれ位置し、または、前記切り替え要請メッセージと前記転送リディレクト要求の情報エレメントにそれぞれ位置する、請求項１２に記載のＡＭＦ。
【請求項１４】
前記トランシーバは、さらに、
前記データ転送情報、設定されたＱｏＳフロー、およびベアラとＱｏＳフローとのマッピング関係が付帯された切り替え要求を、前記ターゲット５Ｇ基地局に送信することに用いられ、
ここで、前記データ転送情報は、前記切り替え要求のトランスペアレント・コンテナに位置し、または、前記切り替え要求の情報エレメントに位置する、請求項１２に記載のＡＭＦ。
【請求項１５】
前記トランシーバは、さらに、
前記ターゲット５Ｇ基地局から前記切り替え要求に基づいて送信される切り替え応答を受信することに用いられ、
前記切り替え応答に前記５Ｇ基地局の転送トンネル情報が含まれ、
ここで、前記データ転送情報が前記切り替え要求のトランスペアレント・コンテナに位置する場合、前記５Ｇ基地局の転送トンネル情報は、前記ターゲットＵＥの５Ｇ基地局転送トンネルおよび前記ターゲットＵＥのデータ転送が存在するベアラおよび／またはＱｏＳフローを含み、
前記データ転送情報が前記切り替え要求の情報エレメントに位置する場合、前記５Ｇ基地局の転送トンネル情報は、前記ターゲットＵＥの５Ｇ基地局転送トンネルを含む、請求項１４に記載のＡＭＦ。
【請求項１６】
前記トランシーバは、さらに、
前記５Ｇ基地局の転送トンネル情報に基づき、５Ｇコアネットワークから前記ターゲットＵＥに設定した５Ｇコアネットワークの転送トンネルを取得し、前記５Ｇコアネットワークの転送トンネルを前記ＭＭＥに送信し、前記ＭＭＥから前記ターゲットＵＥに４Ｇコアネットワークの転送トンネルを再度割り当て、前記４Ｇコアネットワークの転送トンネルをソース４Ｇ基地局に送信することに用いられる、請求項１２に記載のＡＭＦ。
【請求項１７】
トランシーバと、メモリと、プロセッサと、前記メモリに格納されて前記プロセッサで実行可能なコンピュータプログラムを含み、４Ｇシステムに応用される基地局において、
前記トランシーバは、ターゲットＵＥがシステム切り替え条件を満たした場合、データ転送情報をＭＭＥに送信し、前記ＭＭＥから前記データ転送情報をＡＭＦに転送することに用いられ、
ここで、前記データ転送情報は、ＥＰＳからターゲットＵＥに割り当てたベアラリスト、および、前記ターゲットＵＥの対応する各ベアラにデータ転送が存在するかについての、前記基地局から決定された指示を含む、基地局。
【請求項１８】
前記トランシーバは、さらに、
前記データ転送情報が付帯された切り替え要請メッセージを前記ＭＭＥに送信することに用いられる、請求項１７に記載の基地局。
【請求項１９】
前記データ転送情報は、前記切り替え要請メッセージのトランスペアレント・コンテナに位置し、または、前記切り替え要請メッセージの情報エレメントに位置する、請求項１８に記載の基地局。
【請求項２０】
トランシーバと、メモリと、プロセッサと、前記メモリに格納されて前記プロセッサで実行可能なコンピュータプログラムを含み、５Ｇシステムに応用される基地局において、
前記トランシーバは、
ＡＭＦから送信されるターゲットＵＥのデータ転送情報、設定されたＱｏＳフロー、およびベアラとＱｏＳフローとのマッピング関係を受信することに用いられ、
ここで、前記データ転送情報は、ＥＰＳからターゲットＵＥに割り当てたベアラリスト、および、前記ターゲットＵＥの対応する各ベアラにデータ転送が存在するかについての、ソース４Ｇ基地局から決定された指示を含み、
前記プロセッサは、
前記データ転送情報、設定されたＱｏＳフロー、およびベアラとＱｏＳフローとのマッピング関係に基づいて、前記ターゲットＵＥの５Ｇ基地局の転送トンネル情報を設定することに用いられ、
前記トランシーバは、さらに、
前記５Ｇ基地局の転送トンネル情報を前記ＡＭＦに送信することに用いられる、基地局。
【請求項２１】
前記トランシーバは、さらに、
前記ＡＭＦから送信された切り替え要求を受信することに用いられ、
前記切り替え要求に前記データ転送情報、設定されたＱｏＳフロー、およびベアラとＱｏＳフローとのマッピング関係が付帯され、
ここで、前記データ転送情報は、前記切り替え要求のトランスペアレント・コンテナに位置し、または、前記切り替え要求の情報エレメントに位置する、請求項２０に記載の基地局。
【請求項２２】
前記トランシーバは、さらに、
前記切り替え要求に基づいて、前記５Ｇ基地局の転送トンネル情報が付帯された切り替え応答を前記ＡＭＦに送信することに用いられ、
ここで、前記データ転送情報が前記切り替え要求のトランスペアレント・コンテナに位置する場合、前記５Ｇ基地局の転送トンネル情報は、前記ターゲットＵＥの５Ｇ基地局転送トンネルおよび前記ターゲットＵＥのデータ転送が存在するベアラおよび／またはＱｏＳフローを含み、
前記データ転送情報が前記切り替え要求の情報エレメントに位置する場合、前記５Ｇ基地局の転送トンネル情報は、前記ターゲットＵＥの５Ｇ基地局転送トンネルを含む、請求項２１に記載の基地局。
【請求項２３】
ＭＭＥから転送されるターゲットＵＥのデータ転送情報を受信し、５ＧコアネットワークからターゲットＵＥの各ベアラに設定したＱｏＳフロー、および、ベアラとＱｏＳフローとのマッピング関係を取得するための第１受信モジュールと、
ここで、前記データ転送情報は、ＥＰＳから前記ターゲットＵＥに割り当てたベアラリスト、および、前記ターゲットＵＥの対応する各ベアラにデータ転送が存在するかについての、ソース４Ｇ基地局から決定された指示を含み、
前記データ転送情報、設定されたＱｏＳフロー、およびベアラとＱｏＳフローとのマッピング関係を、ターゲット５Ｇ基地局に送信するための第１送信モジュールと、
前記ターゲット５Ｇ基地局から前記データ転送情報、設定されたＱｏＳフロー、およびベアラとＱｏＳフローとのマッピング関係に基づいて前記ターゲットＵＥに設定した５Ｇ基地局の転送トンネル情報を受信するための第２受信モジュールと、
を含む、ＡＭＦ。
【請求項２４】
４Ｇネットワークに応用される基地局において、
ターゲットＵＥがシステム切り替え条件を満たした場合、データ転送情報をＭＭＥに送信し、前記ＭＭＥから前記データ転送情報をＡＭＦに転送するための第２送信モジュールを含み、
ここで、前記データ転送情報は、ＥＰＳからターゲットＵＥに割り当てたベアラリスト、および、前記ターゲットＵＥの対応する各ベアラにデータ転送が存在するかについての、前記基地局から決定された指示を含む、基地局。
【請求項２５】
５Ｇネットワークに応用される基地局において、
ＡＭＦから送信されるターゲットＵＥのデータ転送情報、設定されたＱｏＳフロー、およびベアラとＱｏＳフローとのマッピング関係を受信するための第３受信モジュールと、
ここで、前記データ転送情報は、ＥＰＳからターゲットＵＥに割り当てたベアラリスト、および、前記ターゲットＵＥの対応する各ベアラにデータ転送が存在するかについての、ソース４Ｇ基地局から決定された指示を含み、
前記データ転送情報、設定されたＱｏＳフロー、およびベアラとＱｏＳフローとのマッピング関係に基づいて、前記ターゲットＵＥの５Ｇ基地局の転送トンネル情報を設定するための設定モジュールと、
前記５Ｇ基地局の転送トンネル情報を前記ＡＭＦに送信するための第３送信モジュールと、
を含む、基地局。
【請求項２６】
コンピュータプログラムが格納されているコンピュータ読み取り可能な記憶媒体であって、
前記コンピュータプログラムがプロセッサによって実行されると、請求項１〜５のいずれか一項に記載のデータ転送トンネル決定方法のステップが実現される、コンピュータ読み取り可能な記憶媒体。
【請求項２７】
コンピュータプログラムが格納されているコンピュータ読み取り可能な記憶媒体であって、
前記コンピュータプログラムがプロセッサによって実行されると、請求項６〜８のいずれか一項に記載のデータ転送トンネル決定方法のステップが実現される、コンピュータ読み取り可能な記憶媒体。
【請求項２８】
コンピュータプログラムが格納されているコンピュータ読み取り可能な記憶媒体であって、
前記コンピュータプログラムがプロセッサによって実行されると、請求項９〜１１のいずれか一項に記載のデータ転送トンネル決定方法のステップが実現される、コンピュータ読み取り可能な記憶媒体。
【発明の詳細な説明】
【技術分野】
【０００１】
本願は、２０１７年１１月１６日に中国特許庁に提出された中国特許出願２０１７１１１４０６１４．Ｘの優先権を主張し、その全ての内容が援用によりここに取り込まれる。
本開示は、通信技術分野に係り、特にデータ転送トンネル決定方法、ＡＭＦおよび基地局に係る。
【背景技術】
【０００２】
移動通信システムの発展につれて、日増しに発展する５Ｇ（５ｔｈ−Ｇｅｎｅｒａｔｉｏｎ）システムは、より大きい帯域幅およびより高い伝送レートをＵＥ（Ｕｓｅｒ  Ｅｑｕｉｐｍｅｎｔ）に提供する。５Ｇについて初期のネットワーク構築が成熟化できていない可能性があるが、現在のＬＴＥ（登録商標）（Ｌｏｎｇ  Ｔｅｒｍ  Ｅｖｏｌｕｔｉｏｎ）のほうは、ネットワークのカバレッジや技術が成熟化している。よりよいサービスをＵＥに提供し、トラフィックの連続性を保証するために、５Ｇシステムと現在の主流となっているＬＴＥシステムの間におけるＵＥのシームレスの切り替えをサポートすることは、とりわけ重要である。
【０００３】
５ＧシステムのＰＤＵ  ｓｅｓｓｉｏｎ（Ｐｒｏｔｏｃｏｌ  Ｄａｔａ  Ｕｎｉｔ  ｓｅｓｓｉｏｎ）とＥＰＳ（Ｅｖｏｌｖｅｄ  Ｐａｃｋｅｔ  Ｓｙｓｔｅｍ）のＰＤＮ（Ｐｕｂｌｉｃ  Ｄａｔａ  Ｎｅｔｗｏｒｋ）とは、接続形式が異なる。５Ｇシステムは、ＰＤＵ  ｓｅｓｓｉｏｎを用いて複数のＱｏＳ（Ｑｕａｌｉｔｙ  ｏｆ  Ｓｅｒｖｉｃｅ）フローを管理するが、ＥＰＳは、ＰＤＮ接続を適用して複数のＥＰＳベアラを管理する。異なるシステムの間の切り替えにおいてベアラの変換が行われるが、ベアラ変換の機能は、コアネットワークで完成される。
【０００４】
特に、データ転送機能について、現在のＥＰＳから５Ｇシステムへの切り替えにおいて、ＭＭＥ（Ｍｏｂｉｌｉｔｙ  Ｍａｎａｇｅｍｅｎｔ  Ｅｎｔｉｔｙ）からＰＤＮ接続を確立する際に、ＥＰＳベアラ情報とマッピングするＰＤＵ  ｓｅｓｓｉｏｎ情報を４Ｇ（４ｔｈ−Ｇｅｎｅｒａｔｉｏｎ）基地局に設定する必要がある。のちに５Ｇシステムへの切り替えが必要となると、４Ｇ基地局は、現在のベアラのマッピング先のターゲットシステムでのフォーマット（ＰＤＵ  Ｓｅｓｓｉｏｎ＋ＱｏＳフロー）に従って、あるＱｏＳフローに転送データが存在するかを指示する。このように、従来技術のＥＰＳシステムに影響を与え、シグナリングの損耗を増加させる。
【発明の概要】
【発明が解決しようとする課題】
【０００５】
本発明の目的は、データ転送トンネル決定方法、ＡＭＦおよび基地局を提供し、従来技術のＥＰＳシステムに影響を与えず、シグナリングの損耗を増加させずに、ＥＰＳから５Ｇシステムへの切り替えにおけるデータ転送のトンネル割り当てを実現し、データ転送の完成を保証することにある。
【課題を解決するための手段】
【０００６】
上記目的を達成するために、本開示の実施例は、ＡＭＦ（Ａｃｅｓｓ  ａｎｄ  Ｍｏｂｉｌｉｔｙ  Ｍａｎａｇｅｍｅｎｔ  Ｆｕｎｃｔｉｏｎ）に応用されるデータ転送トンネル決定方法を提供する。
データ転送トンネル決定方法において、
ＭＭＥ（Ｍｏｂｉｌｉｔｙ  Ｍａｎａｇｅｍｅｎｔ  Ｅｎｔｉｔｙ）から転送されるターゲットＵＥ（Ｕｓｅｒ  Ｅｑｕｉｐｍｅｎｔ）のデータ転送情報を受信し、５Ｇ（５ｔｈ−Ｇｅｎｅｒａｔｉｏｎ）コアネットワークからターゲットＵＥの各ベアラに設定したＱｏＳ（Ｑｕａｌｉｔｙ  ｏｆ  Ｓｅｒｖｉｃｅ）フロー、および、ベアラとＱｏＳフローとのマッピング関係を取得することと、
ここで、前記データ転送情報は、ＥＰＳ（Ｅｖｏｌｖｅｄ  Ｐａｃｋｅｔ  Ｓｙｓｔｅｍ）から前記ターゲットＵＥに割り当てたベアラリスト、および、前記ターゲットＵＥの対応する各ベアラにデータ転送が存在するかについての、ソース４Ｇ（４ｔｈ−Ｇｅｎｅｒａｔｉｏｎ）基地局から決定された指示を含み、
前記データ転送情報、設定されたＱｏＳフロー、およびベアラとＱｏＳフローとのマッピング関係を、ターゲット５Ｇ基地局に送信することと、
前記ターゲット５Ｇ基地局から前記データ転送情報、設定されたＱｏＳフロー、およびベアラとＱｏＳフローとのマッピング関係に基づいて前記ターゲットＵＥに設定した５Ｇ基地局の転送トンネル情報を受信することと、
を含む。
【０００７】
ここで、前記のＭＭＥから転送されるターゲットＵＥのデータ転送情報を受信することは、
ソース４Ｇ基地局から送信される切り替え要請メッセージをＭＭＥが受信した後に送信した転送リディレクト要求を受信することを含み、
前記切り替え要請メッセージに前記データ転送情報が付帯され、前記転送リディレクト要求に前記データ転送情報が付帯され、
ここで、前記データ転送情報は、前記切り替え要請メッセージと前記転送リディレクト要求のトランスペアレント・コンテナにそれぞれ位置し、または、前記切り替え要請メッセージと前記転送リディレクト要求の情報エレメントにそれぞれ位置する。
【０００８】
ここで、前記の前記データ転送情報、設定されたＱｏＳフロー、およびベアラとＱｏＳフローとのマッピング関係をターゲット５Ｇ基地局に送信することは、
前記データ転送情報、設定されたＱｏＳフロー、およびベアラとＱｏＳフローとのマッピング関係が付帯された切り替え要求を前記ターゲット５Ｇ基地局に送信することを含み、
ここで、前記データ転送情報は、前記切り替え要求のトランスペアレント・コンテナに位置し、または、前記切り替え要求の情報エレメントに位置する。
【０００９】
ここで、前記の前記ターゲット５Ｇ基地局から前記ターゲットＵＥに設定した５Ｇ基地局の転送トンネル情報を受信することは、
前記ターゲット５Ｇ基地局から前記切り替え要求に基づいて送信される切り替え応答を受信することを含み、
前記切り替え応答に前記５Ｇ基地局の転送トンネル情報が含まれ、
ここで、前記データ転送情報が前記切り替え要求のトランスペアレント・コンテナに位置する場合、前記５Ｇ基地局の転送トンネル情報は、前記ターゲットＵＥの５Ｇ基地局転送トンネルおよび前記ターゲットＵＥのデータ転送が存在するベアラおよび／またはＱｏＳフローを含み、
前記データ転送情報が前記切り替え要求の情報エレメントに位置する場合、前記５Ｇ基地局の転送トンネル情報は、前記ターゲットＵＥの５Ｇ基地局転送トンネルを含む。
【００１０】
ここで、前記方法において、前記５Ｇ基地局の転送トンネル情報に基づき、５Ｇコアネットワークから前記ターゲットＵＥに設定した５Ｇコアネットワークの転送トンネルを取得し、前記５Ｇコアネットワークの転送トンネルを前記ＭＭＥに送信し、前記ＭＭＥから前記ターゲットＵＥに４Ｇコアネットワークの転送トンネルを再度割り当て、前記４Ｇコアネットワークの転送トンネルをソース４Ｇ基地局に送信することをさらに含む。
【００１１】
上記目的を達成するために、本開示の実施例は、４Ｇ基地局に応用されるデータ転送トンネル決定方法をさらに提供する。
当該方法において、
ターゲットＵＥがシステム切り替え条件を満たした場合、データ転送情報をＭＭＥに送信し、前記ＭＭＥから前記データ転送情報をＡＭＦに転送することを含み、
ここで、前記データ転送情報は、ＥＰＳからターゲットＵＥに割り当てたベアラリスト、および、前記ターゲットＵＥの対応する各ベアラにデータ転送が存在するかについての、前記４Ｇ基地局から決定された指示を含む。
【００１２】
ここで、前記のデータ転送情報をＭＭＥに送信することは、
前記データ転送情報が付帯された切り替え要請メッセージを前記ＭＭＥに送信することを含む。
【００１３】
ここで、前記データ転送情報は、前記切り替え要請メッセージのトランスペアレント・コンテナに位置し、または、前記切り替え要請メッセージの情報エレメントに位置する。
【００１４】
上記目的を達成するために、本開示の実施例は、５Ｇ基地局に応用されるデータ転送トンネル決定方法をさらに提供する。
当該方法において、
ＡＭＦから送信されるターゲットＵＥのデータ転送情報、設定されたＱｏＳフロー、およびベアラとＱｏＳフローとのマッピング関係を受信することと、
ここで、前記データ転送情報は、ＥＰＳからターゲットＵＥに割り当てたベアラリスト、および、前記ターゲットＵＥの対応する各ベアラにデータ転送が存在するかについての、ソース４Ｇ基地局から決定された指示を含み、
前記データ転送情報、設定されたＱｏＳフロー、およびベアラとＱｏＳフローとのマッピング関係に基づいて、前記ターゲットＵＥの５Ｇ基地局の転送トンネル情報を設定することと、
前記５Ｇ基地局の転送トンネル情報を前記ＡＭＦに送信することと、
を含む。
【００１５】
ここで、前記のＡＭＦから送信されるターゲットＵＥのデータ転送情報、設定されたＱｏＳフロー、およびベアラとＱｏＳフローとのマッピング関係を受信することは、
前記ＡＭＦから送信された切り替え要求を受信することを含み、
前記切り替え要求に前記データ転送情報、設定されたＱｏＳフロー、およびベアラとＱｏＳフローとのマッピング関係が付帯され、
ここで、前記データ転送情報は、前記切り替え要求のトランスペアレント・コンテナに位置し、または、前記切り替え要求の情報エレメントに位置する。
【００１６】
ここで、前記の前記５Ｇ基地局の転送トンネル情報を前記ＡＭＦに送信することは、
前記切り替え要求に基づいて、前記５Ｇ基地局の転送トンネル情報が付帯された切り替え応答を前記ＡＭＦに送信することを含み、
ここで、前記データ転送情報が前記切り替え要求のトランスペアレント・コンテナに位置する場合、前記５Ｇ基地局の転送トンネル情報は、前記ターゲットＵＥの５Ｇ基地局転送トンネルおよび前記ターゲットＵＥのデータ転送が存在するベアラおよび／またはＱｏＳフローを含み、
前記データ転送情報が前記切り替え要求の情報エレメントに位置する場合、前記５Ｇ基地局の転送トンネル情報は、前記ターゲットＵＥの５Ｇ基地局転送トンネルを含む。
【００１７】
上記目的を達成するために、本開示の実施例は、トランシーバと、メモリと、プロセッサと、前記メモリに格納されて前記プロセッサで実行可能なコンピュータプログラムを含むＡＭＦをさらに提供する。
前記トランシーバは、
ＭＭＥから転送されるターゲットＵＥのデータ転送情報を受信し、５ＧコアネットワークからターゲットＵＥの各ベアラに設定したＱｏＳフロー、および、ベアラとＱｏＳフローとのマッピング関係を取得することと、
ここで、前記データ転送情報は、ＥＰＳから前記ターゲットＵＥに割り当てたベアラリスト、および、前記ターゲットＵＥの対応する各ベアラにデータ転送が存在するかについての、ソース４Ｇ基地局から決定された指示を含み、
前記データ転送情報、設定されたＱｏＳフロー、およびベアラとＱｏＳフローとのマッピング関係を、ターゲット５Ｇ基地局に送信することと、
前記ターゲット５Ｇ基地局から前記データ転送情報、設定されたＱｏＳフロー、およびベアラとＱｏＳフローとのマッピング関係に基づいて前記ターゲットＵＥに設定した５Ｇ基地局の転送トンネル情報を受信することと、に用いられる。
【００１８】
ここで、前記トランシーバは、さらに、
ソース４Ｇ基地局から送信される切り替え要請メッセージをＭＭＥが受信した後に送信した転送リディレクト要求を受信することに用いられ、
前記切り替え要請メッセージに前記データ転送情報が付帯され、前記転送リディレクト要求に前記データ転送情報が付帯され、
ここで、前記データ転送情報は、前記切り替え要請メッセージと前記転送リディレクト要求のトランスペアレント・コンテナにそれぞれ位置し、または、前記切り替え要請メッセージと前記転送リディレクト要求の情報エレメントにそれぞれ位置する。
【００１９】
ここで、前記トランシーバは、さらに、
前記データ転送情報、設定されたＱｏＳフロー、およびベアラとＱｏＳフローとのマッピング関係が付帯された切り替え要求を、前記ターゲット５Ｇ基地局に送信することに用いられ、
ここで、前記データ転送情報は、前記切り替え要求のトランスペアレント・コンテナに位置し、または、前記切り替え要求の情報エレメントに位置する。
【００２０】
ここで、前記トランシーバは、さらに、
前記ターゲット５Ｇ基地局から前記切り替え要求に基づいて送信される切り替え応答を受信することに用いられ、
前記切り替え応答に前記５Ｇ基地局の転送トンネル情報が含まれ、
ここで、前記データ転送情報が前記切り替え要求のトランスペアレント・コンテナに位置する場合、前記５Ｇ基地局の転送トンネル情報は、前記ターゲットＵＥの５Ｇ基地局転送トンネルおよび前記ターゲットＵＥのデータ転送が存在するベアラおよび／またはＱｏＳフローを含み、
前記データ転送情報が前記切り替え要求の情報エレメントに位置する場合、前記５Ｇ基地局の転送トンネル情報は、前記ターゲットＵＥの５Ｇ基地局転送トンネルを含む。
【００２１】
ここで、前記トランシーバは、さらに、
前記５Ｇ基地局の転送トンネル情報に基づき、５Ｇコアネットワークから前記ターゲットＵＥに設定した５Ｇコアネットワークの転送トンネルを取得し、前記５Ｇコアネットワークの転送トンネルを前記ＭＭＥに送信し、前記ＭＭＥから前記ターゲットＵＥに４Ｇコアネットワークの転送トンネルを再度割り当て、前記４Ｇコアネットワークの転送トンネルをソース４Ｇ基地局に送信することに用いられる。
【００２２】
上記目的を達成するために、本開示の実施例は、トランシーバと、メモリと、プロセッサと、前記メモリに格納されて前記プロセッサで実行可能なコンピュータプログラムを含み、４Ｇシステムに応用される基地局をさらに提供する。
前記トランシーバは、ターゲットＵＥがシステム切り替え条件を満たした場合、データ転送情報をＭＭＥに送信し、前記ＭＭＥから前記データ転送情報をＡＭＦに転送することに用いられ、
ここで、前記データ転送情報は、ＥＰＳからターゲットＵＥに割り当てたベアラリスト、および、前記ターゲットＵＥの対応する各ベアラにデータ転送が存在するかについての、前記基地局から決定された指示を含む。
【００２３】
ここで、前記トランシーバは、さらに、
前記データ転送情報が付帯された切り替え要請メッセージを前記ＭＭＥに送信することに用いられる。
【００２４】
ここで、前記データ転送情報は、前記切り替え要請メッセージのトランスペアレント・コンテナに位置し、または、前記切り替え要請メッセージの情報エレメントに位置する。
【００２５】
上記目的を達成するために、本開示の実施例は、トランシーバと、メモリと、プロセッサと、前記メモリに格納されて前記プロセッサで実行可能なコンピュータプログラムを含み、５Ｇシステムに応用される基地局をさらに提供する。
前記トランシーバは、
ＡＭＦから送信されるターゲットＵＥのデータ転送情報、設定されたＱｏＳフロー、およびベアラとＱｏＳフローとのマッピング関係を受信することに用いられ、
ここで、前記データ転送情報は、ＥＰＳからターゲットＵＥに割り当てたベアラリスト、および、前記ターゲットＵＥの対応する各ベアラにデータ転送が存在するかについての、ソース４Ｇ基地局から決定された指示を含み、
前記プロセッサは、
前記データ転送情報、設定されたＱｏＳフロー、およびベアラとＱｏＳフローとのマッピング関係に基づいて、前記ターゲットＵＥの５Ｇ基地局の転送トンネル情報を設定することに用いられ、
前記トランシーバは、さらに、
前記５Ｇ基地局の転送トンネル情報を前記ＡＭＦに送信することに用いられる。
【００２６】
ここで、前記トランシーバは、さらに、
前記ＡＭＦから送信された切り替え要求を受信することに用いられ、
前記切り替え要求に前記データ転送情報、設定されたＱｏＳフロー、およびベアラとＱｏＳフローとのマッピング関係が付帯され、
ここで、前記データ転送情報は、前記切り替え要求のトランスペアレント・コンテナに位置し、または、前記切り替え要求の情報エレメントに位置する。
【００２７】
ここで、前記トランシーバは、さらに、
前記切り替え要求に基づいて、前記５Ｇ基地局の転送トンネル情報が付帯された切り替え応答を前記ＡＭＦに送信することに用いられ、
ここで、前記データ転送情報が前記切り替え要求のトランスペアレント・コンテナに位置する場合、前記５Ｇ基地局の転送トンネル情報は、前記ターゲットＵＥの５Ｇ基地局転送トンネルおよび前記ターゲットＵＥのデータ転送が存在するベアラおよび／またはＱｏＳフローを含み、
前記データ転送情報が前記切り替え要求の情報エレメントに位置する場合、前記５Ｇ基地局の転送トンネル情報は、前記ターゲットＵＥの５Ｇ基地局転送トンネルを含む。
【００２８】
上記目的を達成するために、本開示の実施例は、ＡＭＦをさらに提供する。
ＡＭＦは、
ＭＭＥから転送されるターゲットＵＥのデータ転送情報を受信し、５ＧコアネットワークからターゲットＵＥの各ベアラに設定したＱｏＳフロー、および、ベアラとＱｏＳフローとのマッピング関係を取得するための第１受信モジュールと、
ここで、前記データ転送情報は、ＥＰＳから前記ターゲットＵＥに割り当てたベアラリスト、および、前記ターゲットＵＥの対応する各ベアラにデータ転送が存在するかについての、ソース４Ｇ基地局から決定された指示を含み、
前記データ転送情報、設定されたＱｏＳフロー、およびベアラとＱｏＳフローとのマッピング関係を、ターゲット５Ｇ基地局に送信するための第１送信モジュールと、
前記ターゲット５Ｇ基地局から前記データ転送情報、設定されたＱｏＳフロー、およびベアラとＱｏＳフローとのマッピング関係に基づいて前記ターゲットＵＥに設定した５Ｇ基地局の転送トンネル情報を受信するための第２受信モジュールと、
を含む。
【００２９】
上記目的を達成するために、本開示の実施例は、４Ｇネットワークに応用される基地局をさらに提供する。
当該基地局は、
ターゲットＵＥがシステム切り替え条件を満たした場合、データ転送情報をＭＭＥに送信し、前記ＭＭＥから前記データ転送情報をＡＭＦに転送するための第２送信モジュールを含み、
ここで、前記データ転送情報は、ＥＰＳからターゲットＵＥに割り当てたベアラリスト、および、前記ターゲットＵＥの対応する各ベアラにデータ転送が存在するかについての、前記基地局から決定された指示を含む。
【００３０】
上記目的を達成するために、本開示の実施例は、５Ｇネットワークに応用される基地局をさらに提供する。
当該基地局は、
ＡＭＦから送信されるターゲットＵＥのデータ転送情報、設定されたＱｏＳフロー、およびベアラとＱｏＳフローとのマッピング関係を受信するための第３受信モジュールと、
ここで、前記データ転送情報は、ＥＰＳからターゲットＵＥに割り当てたベアラリスト、および、前記ターゲットＵＥの対応する各ベアラにデータ転送が存在するかについての、ソース４Ｇ基地局から決定された指示を含み、
前記データ転送情報、設定されたＱｏＳフロー、およびベアラとＱｏＳフローとのマッピング関係に基づいて、前記ターゲットＵＥの５Ｇ基地局の転送トンネル情報を設定するための設定モジュールと、
前記５Ｇ基地局の転送トンネル情報を前記ＡＭＦに送信するための第３送信モジュールと、
を含む。
【００３１】
上記目的を達成するために、本開示の実施例は、コンピュータプログラムが格納されているコンピュータ読み取り可能な記憶媒体をさらに提供する。
前記コンピュータプログラムがプロセッサによって実行されると、上記のＡＭＦに応用されるデータ転送トンネル決定方法のステップが実現される。
【００３２】
上記目的を達成するために、本開示の実施例は、コンピュータプログラムが格納されているコンピュータ読み取り可能な記憶媒体をさらに提供する。
前記コンピュータプログラムがプロセッサによって実行されると、上記の４Ｇシステム基地局に応用されるデータ転送トンネル決定方法のステップが実現される。
【００３３】
上記目的を達成するために、本開示の実施例は、コンピュータプログラムが格納されているコンピュータ読み取り可能な記憶媒体をさらに提供する。
前記コンピュータプログラムがプロセッサによって実行されると、上記の５Ｇシステム基地局に応用されるデータ転送トンネル決定方法のステップが実現される。
【発明の効果】
【００３４】
本発明の実施例のデータ転送トンネル決定方法において、ＥＰＳから５Ｇシステムへの切り替えフローで、既存のメッセージでデータ転送の関連情報を付帯してターゲット５Ｇ基地局に知らせ、切り替え待ちのターゲットＵＥに５Ｇ基地局の転送トンネルを設定し、ＡＭＦが５Ｇコアネットワークのネットワーク要素から５Ｇコアネットワークの転送トンネルを取得してＭＭＥに知らせ、ＭＭＥが４Ｇコアネットワークの転送トンネルをターゲットＵＥに割り当てソース４Ｇ基地局に送信することによって、従来技術のＥＰＳシステムに影響を与えず、シグナリングの損耗を増加させずに、ＥＰＳから５Ｇシステムへの切り替えにおけるデータ転送の転送準備を実現し、データ転送の完成を保証する。
【図面の簡単な説明】
【００３５】
本開示の実施例の技術手段をより明確に説明するために、以下、本開示の実施例に必要とされる図面を簡単に紹介する。明らかに、以下の記載に関する図面は、単に本開示の一部の実施例である。当業者にとって、創造性のある作業をしない前提で、これらの図面から他の図面を得ることもできる。
【００３６】
【図１】本開示の実施例１におけるデータ転送トンネル決定方法のフローチャートである。
【図２】本開示の実施例１におけるデータ転送トンネル決定方法の応用図である。
【図３】本開示の実施例２におけるデータ転送トンネル決定方法のフローチャートである。
【図４】本開示の実施例３におけるデータ転送トンネル決定方法のフローチャートである。
【図５】本開示の実施例におけるＡＭＦの構造図である。
【図６】本開示の実施例における基地局の構造図である。
【図７】本開示の別の実施例におけるＡＭＦの構造図である。
【図８】本開示の別の実施例における４Ｇシステムの基地局の構造図である。
【図９】本開示の別の実施例における５Ｇシステムの基地局の構造図である。
【発明を実施するための形態】
【００３７】
本開示の解決しようとする技術課題、技術手段及び利点をより明確にするために、以下、図面および具体的な実施例を参照しながら詳細に記載する。明らかに、記載される実施例は、本開示の実施例の一部であり、全てではない。本開示の実施例に基づき、当業者が創造性のある作業をせずに為しえる全ての実施例は、いずれも本開示の保護範囲に属するものである。
【００３８】
本開示は、現在のＥＰＳから５Ｇシステムへの切り替えにおけるデータ転送が従来技術のＥＰＳシステムに影響を与え、シグナリングの損耗を増加させる問題に対し、データ転送トンネル決定方法を提供し、ＥＰＳから５Ｇシステムへの切り替えフローでデータ転送トンネル決定方法決定を行うことによって、従来技術のＥＰＳシステムに影響を与えず、シグナリングの損耗を増加させずに、ＥＰＳから５Ｇシステムへの切り替えにおけるデータ転送のトンネル割り当てを実現し、データ転送の完成を保証する。
【００３９】
図１に示すように、本開示の実施例は、ＡＭＦに応用されるデータ転送トンネル決定方法を提供する。
当該方法において、
ＭＭＥから転送されるターゲットＵＥのデータ転送情報を受信し、５ＧコアネットワークからターゲットＵＥの各ベアラに設定したＱｏＳフロー、および、ベアラとＱｏＳフローとのマッピング関係を取得するステップ１０１と、
ここで、前記データ転送情報は、ＥＰＳから前記ターゲットＵＥに割り当てたベアラリスト、および、前記ターゲットＵＥの対応する各ベアラにデータ転送が存在するかについての、ソース４Ｇ基地局から決定された指示を含み、
前記データ転送情報、設定されたＱｏＳフロー、およびベアラとＱｏＳフローとのマッピング関係をターゲット５Ｇ基地局に送信するステップ１０２と、
前記ターゲット５Ｇ基地局から前記データ転送情報、設定されたＱｏＳフロー、およびベアラとＱｏＳフローとのマッピング関係に基づいて前記ターゲットＵＥに設定した５Ｇ基地局の転送トンネル情報を受信するステップ１０３と、
を含む。
【００４０】
上記ステップ１０１〜ステップ１０３によって、本開示の実施例の５ＧシステムのＡＭＦに応用されるデータ転送トンネル決定方法において、ＭＭＥから転送されるターゲットＵＥのデータ転送情報を受信し、５Ｇコアネットワークから当該ターゲットＵＥの各ベアラに設定したＱｏＳフロー、および、ベアラとＱｏＳフローとのマッピング関係を取得すると、当該データ転送情報、設定されたＱｏＳフロー、およびベアラとＱｏＳフローとのマッピング関係をターゲット５Ｇ基地局に送信する。当該データ転送情報には、ＥＰＳから当該ターゲットＵＥに割り当てたベアラリスト、および、当該ターゲットＵＥの対応する各ベアラにデータ転送が存在するかについての、ソース４Ｇ基地局から決定された指示を含むため、当該ターゲット５Ｇ基地局は、受信した当該データ転送情報、ＱｏＳフロー、およびベアラとＱｏＳフローとのマッピング関係に基づいて、当該ターゲットＵＥに５Ｇ基地局の転送トンネル情報を設定してＡＭＦに送信する。ＡＭＦは、当該５Ｇ基地局の転送トンネル情報を受信すると、ターゲット５Ｇ基地局から当該ターゲットＵＥに対する転送チャネル割り当てを知ることとなり、のちのデータ転送の完成を保証することができる。上記ステップが５Ｇシステムで実現されるため、従来技術のＥＰＳシステムに影響を与えず、シグナリングの損耗を増加させずに、ＥＰＳから５Ｇシステムへの切り替えでのデータ転送をより簡単に実現させることができる。
【００４１】
当該実施例において、データ転送情報は、ソース４Ｇ基地局から生成され、４Ｇシステムで該ターゲットＵＥのトラフィック処理状況、すなわち、ＥＰＳから当該ターゲットＵＥに割り当てたベアラリスト（ベアラ１、ベアラ２、ベアラ３）および割り当てられたベアラのうち各ベアラにダウンリンクデータ転送が存在するか（たとえばベアラ２とベアラ３には、転送するデータが存在する）を、ターゲット５Ｇ基地局に知らせることに用いられる。よって、ステップ１０１で、前記のＭＭＥから転送されるターゲットＵＥのデータ転送情報を受信することは、
ソース４Ｇ基地局から送信される切り替え要請メッセージをＭＭＥが受信した後に送信した転送リディレクト要求を受信することを含む。
前記切り替え要請メッセージに前記データ転送情報が付帯され、前記転送リディレクト要求に前記データ転送情報が付帯される。
ここで、前記データ転送情報は、前記切り替え要請メッセージと前記転送リディレクト要求のトランスペアレント・コンテナにそれぞれ位置し、または、前記切り替え要請メッセージと前記転送リディレクト要求の情報エレメントにそれぞれ位置する。
【００４２】
ここで、図２に示すように、ＥＰＳから５Ｇシステムへの切り替えプロセスのフローを参照し、ソース４Ｇ基地局は、測定報告に基づいて、ターゲットＵＥがＥＰＳから５Ｇシステムへの切り替え条件を満たすと発見すると、ＥＰＳからターゲットＵＥに割り当てたベアラリスト、および、当該ターゲットＵＥの対応する各ベアラにデータ転送が存在するかについての当該ソース４Ｇ基地局から決定された指示を含むデータ転送情報を生成し、切り替え要請メッセージＨａｎｄｏｖｅｒ  ＲｅｑｕｉｒｅｄによってＭＭＥに送信する。ＭＭＥは、転送リディレクト要求Ｆｏｒｗａｒｄ  Ｒｅｌｏｃａｔｉｏｎ  Ｒｅｑｕｅｓｔによって当該データ転送情報をＡＭＦに転送する。ＡＭＦは、Ｆｏｒｗａｒｄ  Ｒｅｌｏｃａｔｉｏｎ  Ｒｅｑｕｅｓｔを受信すると、その中に付帯されるデータ転送情報を受信することができ、ターゲット５Ｇ基地局への転送を行う。
【００４３】
ここで、Ｈａｎｄｏｖｅｒ  ＲｅｑｕｉｒｅｄとＦｏｒｗａｒｄ  Ｒｅｌｏｃａｔｉｏｎ  Ｒｅｑｕｅｓｔのメッセージフォーマットを考慮し、当該データ転送情報は、Ｈａｎｄｏｖｅｒ  ＲｅｑｕｉｒｅｄとＦｏｒｗａｒｄ  Ｒｅｌｏｃａｔｉｏｎ  Ｒｅｑｕｅｓｔのトランスペアレント・コンテナに位置し、または、Ｈａｎｄｏｖｅｒ  ＲｅｑｕｉｒｅｄとＦｏｒｗａｒｄ  Ｒｅｌｏｃａｔｉｏｎ  Ｒｅｑｕｅｓｔの情報エレメントＩＥに位置する。
【００４４】
５Ｇ基地局は、ＵＥに転送トンネルを割り当てる際に、４ＧシステムでＵＥのトラフィック処理状況のみならず、５ＧコアネットワークからＵＥの各ベアラに設定したＱｏＳフロー、およびベアラとＱｏＳフローとのマッピング関係を把握する必要がある。よって、ＡＭＦは、Ｆｏｒｗａｒｄ  Ｒｅｌｏｃａｔｉｏｎ  Ｒｅｑｕｅｓｔによってデータ転送情報を受信すると、５Ｇコアネットワークのネットワーク要素間の握手によって、ＭＭＥ側のＥＰＳベアラコンテキストを、５Ｇシステムで用いられるＰＤＵ  ｓｅｓｓｉｏｎコンテキストに変換し、５ＧコアネットワークからターゲットＵＥの各ベアラに設定したＱｏＳフロー、およびベアラとＱｏＳフローとのマッピング関係を取得する。
【００４５】
その後、当該データ転送情報、設定されたＱｏＳフロー、およびベアラとＱｏＳフローとのマッピング関係をターゲット５Ｇ基地局に知らせ、ステップ１０２は、
前記データ転送情報、設定されたＱｏＳフロー、およびベアラとＱｏＳフローとのマッピング関係が付帯された切り替え要求を前記ターゲット５Ｇ基地局に送信することを含む。
ここで、前記データ転送情報は、前記切り替え要求のトランスペアレント・コンテナに位置し、または、前記切り替え要求の情報エレメントに位置する。
【００４６】
図２に示すように、上記のデータ転送情報がＨａｎｄｏｖｅｒ  Ｒｅｑｕｉｒｅｄに付帯され、Ｆｏｒｗａｒｄ  Ｒｅｌｏｃａｔｉｏｎ  ＲｅｑｕｅｓｔによってＡＭＦに転送されるプロセスに対応し、ここで、データ転送情報、設定されたＱｏＳフロー、およびベアラとＱｏＳフローとのマッピング関係を切り替え要求Ｈａｎｄｏｖｅｒ  Ｒｅｑｕｅｓｔに付帯することが好ましい。同様に、Ｈａｎｄｏｖｅｒ  Ｒｅｑｕｅｓｔのメッセージフォーマットから、データ転送情報は、Ｈａｎｄｏｖｅｒ  ＲｅｑｕｅｓｔのＣｏｎｔａｉｎｅｒに位置し、または、Ｈａｎｄｏｖｅｒ  ＲｅｑｕｅｓｔのＩＥに位置する。
【００４７】
もちろん、データ転送情報がＨａｎｄｏｖｅｒ  ＲｅｑｕｉｒｅｄとＦｏｒｗａｒｄ  Ｒｅｌｏｃａｔｉｏｎ  ＲｅｑｕｅｓｔのＣｏｎｔａｉｎｅｒにそれぞれ位置する場合、当該データ転送情報は、Ｈａｎｄｏｖｅｒ  ＲｅｑｕｅｓｔのＣｏｎｔａｉｎｅｒに位置する。当該データ転送情報は、ＭＭＥ、ＡＭＦを経てターゲット５Ｇ基地局にトランスペアレントされる。データ転送情報がＨａｎｄｏｖｅｒ  ＲｅｑｕｉｒｅｄとＦｏｒｗａｒｄ  Ｒｅｌｏｃａｔｉｏｎ  ＲｅｑｕｅｓｔのＩＥにそれぞれ位置する場合、当該データ転送情報は、Ｈａｎｄｏｖｅｒ  ＲｅｑｕｅｓｔのＩＥに位置する。
【００４８】
ターゲット５Ｇ基地局は、ＡＭＦから送信されるＨａｎｄｏｖｅｒ  Ｒｅｑｕｅｓｔによって、当該ターゲットＵＥのデータ転送情報、設定されたＱｏＳフロー、およびベアラとＱｏＳフローとのマッピング関係を受信すると、データ転送に必要な５Ｇ基地局の転送トンネル情報を当該ターゲットＵＥに設定し、ＡＭＦにフィードバックする。しかし、データ転送情報がメッセージのＣｏｎｔａｉｎｅｒまたはＩＥに付帯されるため、ＡＭＦは、データ転送情報のトランスペアレント時に、各ベアラおよび／またはＱｏＳフローにデータ転送が存在するかを把握できないが、データ転送情報がＩＥに位置して転送される場合、各ベアラおよび／またはＱｏＳフローにデータ転送が存在するかを把握できる。よって、ターゲット５Ｇ基地局からフィードバックされる５Ｇ基地局の転送トンネル情報に相違が存在する。
よって、ステップ１０３は、
前記ターゲット５Ｇ基地局から前記切り替え要求に基づいて送信される切り替え応答を受信することを含み、前記切り替え応答に前記５Ｇ基地局の転送トンネル情報が含まれる。
ここで、前記データ転送情報が前記切り替え要求のトランスペアレント・コンテナに位置する場合、前記５Ｇ基地局の転送トンネル情報は、前記ターゲットＵＥの５Ｇ基地局転送トンネルおよび前記ターゲットＵＥのデータ転送が存在するベアラおよび／またはＱｏＳフローを含む。
前記データ転送情報が前記切り替え要求の情報エレメントに位置する場合、前記５Ｇ基地局の転送トンネル情報は、前記ターゲットＵＥの５Ｇ基地局転送トンネルを含む。
【００４９】
データ転送情報のトランスペアレントにおいて、ターゲット５Ｇ基地局から、ターゲットＵＥの対応する各ベアラおよび／またはＱｏＳフローにデータ転送が存在するかをＡＭＦに知らせる必要があるため、５Ｇ基地局の転送トンネル情報は、当該ターゲットＵＥの５Ｇ基地局転送トンネルおよび当該ターゲットＵＥのデータ転送が存在するベアラおよび／またはＱｏＳフローを含み、当該５Ｇ基地局の転送トンネル情報を切り替え応答Ｈａｎｄｏｖｅｒ  Ｒｅｑｕｅｓｔ  ＡｃｋによってＡＭＦに送信する。ＡＭＦは、Ｈａｎｄｏｖｅｒ  Ｒｅｑｕｅｓｔ  Ａｃｋを受信すると、ターゲット５Ｇ基地局からターゲットＵＥに設定した５Ｇ基地局転送トンネルのみならず、ターゲットＵＥのデータ転送が存在するベアラおよび／またはＱｏＳフローを把握する。データ転送情報がＩＥに位置して転送される場合、ターゲット５Ｇ基地局は、ターゲットＵＥの対応する各ベアラおよび／またはＱｏＳフローにデータ転送が存在するかをＡＭＦに知らせる必要がない。５Ｇ基地局転送トンネル情報は、当該ターゲットＵＥの５Ｇ基地局転送トンネルのみを含み、切り替え応答Ｈａｎｄｏｖｅｒ  Ｒｅｑｕｅｓｔ  Ａｃｋに当該５Ｇ基地局の転送トンネル情報を付帯してＡＭＦに送信する。ＡＭＦは、Ｈａｎｄｏｖｅｒ  Ｒｅｑｕｅｓｔ  Ａｃｋを受信すると、ターゲット５Ｇ基地局からターゲットＵＥに設定した５Ｇ基地局転送トンネルを得る。
【００５０】
一般的に、ＥＰＳから５Ｇシステムへの切り替えのデータ転送において、５Ｇ基地局転送トンネルを決定するのみならず、５Ｇコアネットワークの転送トンネル情報、４Ｇコアネットワークの転送トンネル情報を知る必要もある。
上記実施例を基に、前記方法において、
前記５Ｇ基地局の転送トンネル情報に基づき、５Ｇコアネットワークから前記ターゲットＵＥに設定した５Ｇコアネットワークの転送トンネルを取得し、前記５Ｇコアネットワークの転送トンネルを前記ＭＭＥに送信し、前記ＭＭＥから前記ターゲットＵＥに４Ｇコアネットワークの転送トンネルを再度割り当て、前記４Ｇコアネットワークの転送トンネルをソース４Ｇ基地局に送信することをさらに含む。
【００５１】
このように、ＡＭＦは、５Ｇ基地局の転送トンネル情報を受信すると、さらに、５Ｇコアネットワークのネットワーク要素の間の握手によって、５Ｇコアネットワークから前記ターゲットＵＥに設定した５Ｇコアネットワークの転送トンネルを取得し、当該５Ｇコアネットワークの転送トンネルＭＭＥに送信する。ＭＭＥは、ターゲットＵＥに４Ｇコアネットワークの転送トンネルを割り当て前記４Ｇコアネットワークの転送トンネルをソース４Ｇ基地局に送信する。ここまで、データ転送トンネルの設定が完成する。その後、ソース４Ｇ基地局でのベアラに存在する転送データを転送する。
【００５２】
以下、具体的なシナリオを通じて本開示の実施例の方法の応用を説明する。
【００５３】
シナリオ１：ＵＥ  Ａは、ＥＰＳシステムで動作し、２つのＰＤＮ接続が確立されている。ＰＤＮ１（非ＧＢＲ（Ｇｕａｒａｎｔｅｅｄ  Ｂｉｔ  Ｒａｔｅ）  ＥＰＳベアラ１）、ＰＤＮ２（非ＧＢＲ  ＥＰＳベアラ２）のうち、ベアラ１のみで転送データがあり、測定報告に基づき、４Ｇ  ｅＮＢ（Ｅｖｏｌｖｅｄ  Ｎｏｄｅ  Ｂ）は、当該ＵＥ  Ａを５Ｇシステムに切り替えると決定する。
【００５４】
図２に示すように、ｅＮＢ（ソース４Ｇ基地局）から送信されるＨａｎｄｏｖｅｒ  ＲｅｑｕｉｒｅｄのＩＥでは、ＥＰＳから当該ＵＥに割り当てたベアラリスト（ベアラ１、２）および各ベアラにデータ転送が存在するかの指示（ベアラ１に転送データあり）を付帯する。ＭＭＥは、Ｈａｎｄｏｖｅｒ  Ｒｅｑｕｉｒｅｄを受信すると、Ｆｏｒｗａｒｄ  Ｒｅｌｏｃａｔｉｏｎ  ＲｅｑｕｅｓｔのＩＥに上記情報を付帯してＡＭＦに送信する。仮に、５Ｇコアネットワークでは、当該ＵＥに対し、ＰＤＵ  Ｓｅｓｓｉｏｎ１（ＱｏＳフロー１）とＰＤＵ  Ｓｅｓｓｉｏｎ２（ＱｏＳフロー２）、および、ベアラ１がＱｏＳフロー１にマッピングし、ベアラ２がＱｏＳフロー２にマッピングするというベアラとＱｏＳフローとのマッピング関係を設定する。その後、ＡＭＦは、設定されたＱｏＳフロー、マッピング関係およびＩＥでの情報を、ターゲット５Ｇ基地局に送信するＨａｎｄｏｖｅｒ  Ｒｅｑｕｅｓｔで当該ターゲット５Ｇ基地局に知らせる。ターゲット５Ｇ基地局は、取得した情報から当該ＵＥの５Ｇ基地局の転送トンネルを設定し、ＱｏＳフロー１で転送するデータを転送するためのデータ転送トンネルをＰＤＵ  Ｓｅｓｓｉｏｎ１に割り当てる。Ｈａｎｄｏｖｅｒ  Ｒｅｑｕｅｓｔ  Ａｃｋによって、当該５Ｇ基地局の転送トンネルをＡＭＦにフィードバックする。
【００５５】
シナリオ２：ＵＥ  Ｂは、ＥＰＳシステムで動作し、２つのＰＤＮ接続が確立されている。ＰＤＮ１（非ＧＢＲ  ＥＰＳベアラ１、２）、ＰＤＮ２（非ＧＢＲ  ＥＰＳベアラ３、４）のうち、ベアラ１、３、４では転送データがある。測定報告に基づき、ｅＮＢは、当該ＵＥ  Ｂを５Ｇシステムに切り替えると決定する。
【００５６】
図２に示すように、ｅＮＢ（ソース４Ｇ基地局）から送信されるＨａｎｄｏｖｅｒ  ＲｅｑｕｉｒｅｄのＣｏｎｔａｉｎｅｒでは、ＥＰＳから当該ＵＥに割り当てたベアラリスト（ベアラ１、２、３、４）および各ベアラにデータ転送が存在するかの指示（ベアラ１、３、４に転送データあり）を付帯する。ＭＭＥは、Ｈａｎｄｏｖｅｒ  Ｒｅｑｕｉｒｅｄを受信すると、Ｆｏｒｗａｒｄ  Ｒｅｌｏｃａｔｉｏｎ  ＲｅｑｕｅｓｔのＣｏｎｔａｉｎｅｒに上記情報を付帯してＡＭＦに送信する。仮に、５Ｇコアネットワークでは、当該ＵＥに対し、ＰＤＵ  Ｓｅｓｓｉｏｎ１（ＱｏＳフロー１、２）とＰＤＵ  Ｓｅｓｓｉｏｎ２（ＱｏＳフロー３、４）、および、ベアラ１がＱｏＳフロー１にマッピングし、ベアラ２がＱｏＳフロー２にマッピングし、ベアラ３がＱｏＳフロー３にマッピングし、ベアラ４がＱｏＳフロー４にマッピングするというベアラとＱｏＳフローとのマッピング関係を設定する。その後、ＡＭＦは、設定されたＱｏＳフロー、マッピング関係およびＣｏｎｔａｉｎｅｒでの情報を、ターゲット５Ｇ基地局に送信するＨａｎｄｏｖｅｒ  Ｒｅｑｕｅｓｔで当該ターゲット５Ｇ基地局に知らせる。ターゲット５Ｇ基地局は、取得した情報から当該ＵＥの５Ｇ基地局の転送トンネルを設定し、ＱｏＳフロー１で転送するデータを転送するためのデータ転送トンネルをＰＤＵ  Ｓｅｓｓｉｏｎ１に割り当て、ＱｏＳフロー３、４で転送するデータを転送するためのデータ転送トンネルをＰＤＵ  Ｓｅｓｓｉｏｎ２に割り当てる。Ｈａｎｄｏｖｅｒ  Ｒｅｑｕｅｓｔ  Ａｃｋによって、当該５Ｇ基地局の転送トンネルをＡＭＦにフィードバックする。ここで、Ｈａｎｄｏｖｅｒ  Ｒｅｑｕｅｓｔ  Ａｃｋは、ターゲットＵＥの対応する各ベアラおよび／またはＱｏＳフローにデータ転送が存在するかをさらに付帯し、ベアラ１、３、４および／またはＱｏＳフロー１、３、４に転送データがあることをＡＭＦに知らせる。
【００５７】
なお、５Ｇコアネットワークからベアラに設定したＱｏＳフローのマッピング関係は、上記の一対一のマッピング関係に限られず、一対複数または複数対一の関係であってもよく、同様にトンネルの設定方式も多様であり、ここでは繰り返して記載しない。
【００５８】
以上の記載をまとめると、本発明の実施例のデータ転送トンネル決定方法において、ＥＰＳから５Ｇシステムへの切り替えフローで、既存のメッセージでデータ転送の関連情報を付帯してターゲット５Ｇ基地局に知らせ、切り替え待ちのターゲットＵＥに５Ｇ基地局の転送トンネルを設定し、ＡＭＦが５Ｇコアネットワークのネットワーク要素から５Ｇコアネットワークの転送トンネルを取得してＭＭＥに知らせ、ＭＭＥが４Ｇコアネットワークの転送トンネルをターゲットＵＥに割り当てソース４Ｇ基地局に送信することによって、従来技術のＥＰＳシステムに影響を与えず、シグナリングの損耗を増加させずに、ＥＰＳから５Ｇシステムへの切り替えにおけるデータ転送の転送準備を実現し、データ転送の完成を保証する。
【００５９】
図３に示すように、本開示の実施例は、４Ｇ基地局に応用されるデータ転送トンネル決定方法をさらに提供する。
当該方法において、
ターゲットＵＥがシステム切り替え条件を満たした場合、データ転送情報をＭＭＥに送信し、前記ＭＭＥから前記データ転送情報をＡＭＦに転送するステップ３０１を含む。
ここで、データ転送情報は、ＥＰＳからターゲットＵＥに割り当てたベアラリスト、および、前記ターゲットＵＥの対応する各ベアラにデータ転送が存在するかについての前記４Ｇ基地局から決定された指示を含む。
【００６０】
このように、本開示の実施例の方法を応用する基地局は、ソース４Ｇ基地局として、測定報告に基づき、ターゲットＵＥがＥＰＳから５Ｇシステムへの切り替え条件を満たした場合、ＥＰＳからターゲットＵＥに割り当てたベアラリスト、および、当該ターゲットＵＥの対応する各ベアラにデータ転送が存在するかについての当該４Ｇ基地局から決定された指示を含むデータ転送情報を生成してＭＭＥに送信し、当該ＭＭＥからＡＭＦに転送する。その後、ＡＭＦによってターゲット５Ｇ基地局に転送される。よって、４ＧシステムでターゲットＵＥのトラフィック処理状況を当該ターゲット５Ｇ基地局に知らせ、５Ｇ基地局の転送トンネル設定を行う。
【００６１】
ここで、前記のデータ転送情報をＭＭＥに送信することは、
前記データ転送情報が付帯された切り替え要請メッセージを前記ＭＭＥに送信することを含む。
【００６２】
ＥＰＳから５Ｇシステムへの切り替えプロセスフローを参照し、ソース４Ｇ基地局からＨａｎｄｏｖｅｒ  ＲｅｑｕｉｒｅｄをＭＭＥに送信することが好ましい。
【００６３】
ここで、Ｈａｎｄｏｖｅｒ  Ｒｅｑｕｉｒｅｄのメッセージフォーマットを考慮し、前記データ転送情報は、前記切り替え要請メッセージのトランスペアレント・コンテナに位置し、または、前記切り替え要請メッセージの情報エレメントに位置する。
【００６４】
当該データ転送情報は、Ｈａｎｄｏｖｅｒ  ＲｅｑｕｉｒｅｄのＣｏｎｔａｉｎｅｒまたはＨａｎｄｏｖｅｒ  ＲｅｑｕｉｒｅｄのＩＥに位置して伝達される。
【００６５】
本開示の実施例のデータ転送トンネル決定方法において、ターゲットＵＥがＥＰＳから５Ｇシステムへの切り替え条件を満たした場合、ＥＰＳからターゲットＵＥに割り当てたベアラリスト、および、当該ターゲットＵＥの対応する各ベアラにデータ転送が存在するかについての当該４Ｇ基地局から決定された指示を含むデータ転送情報を生成してＭＭＥに送信し、当該ＭＭＥからＡＭＦに転送する。その後、ＡＭＦによってターゲット５Ｇ基地局に転送される。よって、４ＧシステムでターゲットＵＥのトラフィック処理状況を当該ターゲット５Ｇ基地局に知らせ、５Ｇ基地局の転送トンネル設定を行う。従来技術のＥＰＳシステムに影響を与えず、シグナリングの損耗を増加させずに、ＥＰＳから５Ｇシステムへの切り替えでのデータ転送をより簡単に実現させることができる。
【００６６】
なお、本開示の実施例のデータ転送トンネル決定方法は、ＡＭＦに応用されるデータ転送トンネル決定方法とは協同的に完成され、上記のＡＭＦに応用されるデータ転送トンネル決定方法の実施例の実現方式が当該実施例に適用し、同一の技術効果を奏することもできる。
【００６７】
図４に示すように、本開示の実施例は、５Ｇ基地局に応用されるデータ転送トンネル決定方法をさらに提供する。
当該方法において、
ＡＭＦから送信されるターゲットＵＥのデータ転送情報、設定されたＱｏＳフロー、およびベアラとＱｏＳフローとのマッピング関係を受信するステップ４０１と、
ここで、前記データ転送情報は、ＥＰＳからターゲットＵＥに割り当てたベアラリスト、および、前記ターゲットＵＥの対応する各ベアラにデータ転送が存在するかについての、ソース４Ｇ基地局から決定された指示を含み、
前記データ転送情報、設定されたＱｏＳフロー、およびベアラとＱｏＳフローとのマッピング関係に基づいて、前記ターゲットＵＥの５Ｇ基地局の転送トンネル情報を設定するステップ４０２と、
前記５Ｇ基地局の転送トンネル情報を前記ＡＭＦに送信するステップ４０３と、
を含む。
【００６８】
上記ステップ４０１〜ステップ４０３によって、本開示の実施例の５Ｇシステムに応用されるデータ転送トンネル決定方法において、ＡＭＦから送信されたデータ転送情報、設定されたＱｏＳフロー、およびベアラとＱｏＳフローとのマッピング関係を受信すると、ターゲットＵＥのベアラで転送データが存在するベアラを知ることができ、５Ｇコアネットワークから、転送データが存在するベアラにＱｏＳフローを設定する。さらに、当該ターゲットＵＥに５Ｇ基地局の転送トンネル情報を正確に設定してＡＭＦに送信し、のちのデータ転送の完成を保証する。
【００６９】
５ＧシステムのＡＭＦに応用されるデータ転送トンネル決定方法の実施例によれば、ＡＭＦから当該ターゲット５Ｇ基地局にＨａｎｄｏｖｅｒ  Ｒｅｑｕｅｓｔを送信して前記データ転送情報、設定されたＱｏＳフロー、およびベアラとＱｏＳフローとのマッピング関係を付帯することが好ましい。
よって、ステップ４０１は、
前記ＡＭＦから送信された切り替え要求を受信することを含み、
前記切り替え要求に前記データ転送情報、設定されたＱｏＳフロー、およびベアラとＱｏＳフローとのマッピング関係が付帯され、
ここで、前記データ転送情報は、前記切り替え要求のトランスペアレント・コンテナに位置し、または、前記切り替え要求の情報エレメントに位置する。
【００７０】
データ転送情報がメッセージのＣｏｎｔａｉｎｅｒまたはＩＥに付帯されるため、ＡＭＦは、データ転送情報のトランスペアレント時に、各ベアラおよび／またはＱｏＳフローにデータ転送が存在するかを把握できないが、データ転送情報がＩＥに位置して転送される場合、各ベアラおよび／またはＱｏＳフローにデータ転送が存在するかを把握できる。
よって、ステップ４０３は、
前記切り替え要求に基づいて、前記５Ｇ基地局の転送トンネル情報が付帯された切り替え応答を前記ＡＭＦに送信することを含む。
ここで、前記データ転送情報が前記切り替え要求のトランスペアレント・コンテナに位置する場合、前記５Ｇ基地局の転送トンネル情報は、前記ターゲットＵＥの５Ｇ基地局転送トンネルおよび前記ターゲットＵＥのデータ転送が存在するベアラおよび／またはＱｏＳフローを含む。
前記データ転送情報が前記切り替え要求の情報エレメントに位置する場合、前記５Ｇ基地局の転送トンネル情報は、前記ターゲットＵＥの５Ｇ基地局転送トンネルを含む。
【００７１】
ここで、データ転送情報のトランスペアレントにおいて、ターゲット５Ｇ基地局から、ターゲットＵＥの対応する各ベアラおよび／またはＱｏＳフローにデータ転送が存在するかをＡＭＦに知らせる必要があるため、５Ｇ基地局の転送トンネル情報は、当該ターゲットＵＥの５Ｇ基地局転送トンネルおよび当該ターゲットＵＥのデータ転送が存在するベアラおよび／またはＱｏＳフローを含み、当該５Ｇ基地局の転送トンネル情報を切り替え応答Ｈａｎｄｏｖｅｒ  Ｒｅｑｕｅｓｔ  ＡｃｋによってＡＭＦに送信する。データ転送情報がＩＥに位置して転送される場合、ターゲット５Ｇ基地局は、ターゲットＵＥの対応する各ベアラおよび／またはＱｏＳフローにデータ転送が存在するかをＡＭＦに知らせる必要がない。５Ｇ基地局転送トンネル情報は、当該ターゲットＵＥの５Ｇ基地局転送トンネルのみを含み、切り替え応答Ｈａｎｄｏｖｅｒ  Ｒｅｑｕｅｓｔ  Ａｃｋに当該５Ｇ基地局の転送トンネル情報を付帯してＡＭＦに送信する。
【００７２】
本開示の実施例のデータ転送トンネル決定方法において、ＡＭＦから送信されたデータ転送情報、設定されたＱｏＳフロー、およびベアラとＱｏＳフローとのマッピング関係を受信すると、ターゲットＵＥのベアラで転送データが存在するベアラを知ることができ、５Ｇコアネットワークから、転送データが存在するベアラにＱｏＳフローを設定する。さらに、当該ターゲットＵＥに５Ｇ基地局の転送トンネル情報を正確に設定してＡＭＦに送信する。従来技術のＥＰＳシステムに影響を与えず、シグナリングの損耗を増加させずに、のちのデータ転送の完成を保証し、ＥＰＳから５Ｇシステムへの切り替えでのデータ転送をより簡単に実現させることができる。
【００７３】
なお、本開示の実施例のデータ転送トンネル決定方法は、ＡＭＦに応用されるデータ転送トンネル決定方法とは協同的に完成され、上記のＡＭＦに応用されるデータ転送トンネル決定方法の実施例の実現方式が当該実施例に適用し、同一の技術効果を奏することもできる。
【００７４】
図５に示すように、本開示の実施例は、トランシーバ５１０と、メモリ５２０と、プロセッサ５３０と、前記メモリ５２０に格納されて前記プロセッサ５３０で実行可能なコンピュータプログラムを含むＡＭＦをさらに提供する。
前記トランシーバ５１０は、
ＭＭＥから転送されるターゲットＵＥのデータ転送情報を受信し、５ＧコアネットワークからターゲットＵＥの各ベアラに設定したＱｏＳフロー、および、ベアラとＱｏＳフローとのマッピング関係を取得することと、
ここで、前記データ転送情報は、ＥＰＳから前記ターゲットＵＥに割り当てたベアラリスト、および、前記ターゲットＵＥの対応する各ベアラにデータ転送が存在するかについての、ソース４Ｇ基地局から決定された指示を含み、
前記データ転送情報、設定されたＱｏＳフロー、およびベアラとＱｏＳフローとのマッピング関係をターゲット５Ｇ基地局に送信することと、
前記ターゲット５Ｇ基地局から前記データ転送情報、設定されたＱｏＳフロー、およびベアラとＱｏＳフローとのマッピング関係に基づいて前記ターゲットＵＥに設定した５Ｇ基地局の転送トンネル情報を受信することと、に用いられる。
【００７５】
ここで、前記トランシーバ５１０は、さらに、ソース４Ｇ基地局から送信される切り替え要請メッセージをＭＭＥが受信した後に送信した転送リディレクト要求を受信することに用いられ、前記切り替え要請メッセージに前記データ転送情報が付帯され、前記転送リディレクト要求に前記データ転送情報が付帯される。
ここで、前記データ転送情報は、前記切り替え要請メッセージと前記転送リディレクト要求のトランスペアレント・コンテナにそれぞれ位置し、または、前記切り替え要請メッセージと前記転送リディレクト要求の情報エレメントにそれぞれ位置する。
【００７６】
ここで、前記トランシーバ５１０は、さらに、前記データ転送情報、設定されたＱｏＳフロー、およびベアラとＱｏＳフローとのマッピング関係が付帯された切り替え要求を前記ターゲット５Ｇ基地局に送信することに用いられ、
ここで、前記データ転送情報は、前記切り替え要求のトランスペアレント・コンテナに位置し、または、前記切り替え要求の情報エレメントに位置する。
【００７７】
ここで、前記トランシーバ５１０は、さらに、前記ターゲット５Ｇ基地局から前記切り替え要求に基づいて送信される切り替え応答を受信することに用いられ、前記切り替え応答に前記５Ｇ基地局の転送トンネル情報が含まれる。
ここで、前記データ転送情報が前記切り替え要求のトランスペアレント・コンテナに位置する場合、前記５Ｇ基地局の転送トンネル情報は、前記ターゲットＵＥの５Ｇ基地局転送トンネルおよび前記ターゲットＵＥのデータ転送が存在するベアラおよび／またはＱｏＳフローを含み、
前記データ転送情報が前記切り替え要求の情報エレメントに位置する場合、前記５Ｇ基地局の転送トンネル情報は、前記ターゲットＵＥの５Ｇ基地局転送トンネルを含む。
【００７８】
ここで、前記トランシーバ５１０は、さらに、前記５Ｇ基地局の転送トンネル情報に基づき、５Ｇコアネットワークから前記ターゲットＵＥに設定した５Ｇコアネットワークの転送トンネルを取得し、前記５Ｇコアネットワークの転送トンネルを前記ＭＭＥに送信し、前記ＭＭＥから前記ターゲットＵＥに４Ｇコアネットワークの転送トンネルを再度割り当て、前記４Ｇコアネットワークの転送トンネルをソース４Ｇ基地局に送信することに用いられる。
【００７９】
図５において、バスアーキテクチャは、任意数の相互接続するバスとブリッジを含み、具体的に、プロセッサ５３０をはじめとする１つ又は複数のプロセッサとメモリ５２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ５１０は、複数の部品であってもよく、即ち送信機と受信機を含み、伝送媒体でほかの各種類の装置と通信するユニットとして提供される。プロセッサ５３０は、バスアーキテクチャと通常の処理を管理する。メモリ５２０は、プロセッサ５３０による操作実行に使用されるデータを記憶できる。
【００８０】
図６に示すように、本開示の実施例は、トランシーバ６１０と、メモリ６２０と、プロセッサ６３０と、前記メモリ６２０に格納されて前記プロセッサ６３０で実行可能なコンピュータプログラムを含み、４Ｇシステムに応用される基地局をさらに提供する。
前記トランシーバ６１０は、ターゲットＵＥがシステム切り替え条件を満たした場合、ＥＰＳからターゲットＵＥに割り当てたベアラリスト、および、前記ターゲットＵＥの対応する各ベアラにデータ転送が存在するかについての前記基地局から決定された指示を含むデータ転送情報をＭＭＥに送信することに用いられ、
前記データ転送情報は、前記ＭＭＥからＡＭＦに転送される。
【００８１】
ここで、前記トランシーバ６１０は、さらに、前記データ転送情報が付帯された切り替え要請メッセージを前記ＭＭＥに送信することに用いられる。
【００８２】
ここで、前記データ転送情報は、前記切り替え要請メッセージのトランスペアレント・コンテナに位置し、または、前記切り替え要請メッセージの情報エレメントに位置する。
【００８３】
同様に、図６に示すように、本開示の実施例は、トランシーバ６１０と、メモリ６２０と、プロセッサ６３０と、前記メモリ６２０に格納されて前記プロセッサ６３０で実行可能なコンピュータプログラムを含み、５Ｇシステムに応用される基地局をさらに提供する。
前記トランシーバ６１０は、ＡＭＦから送信されるターゲットＵＥのデータ転送情報、設定されたＱｏＳフロー、およびベアラとＱｏＳフローとのマッピング関係を受信することに用いられ、
ここで、前記データ転送情報は、ＥＰＳからターゲットＵＥに割り当てたベアラリスト、および、前記ターゲットＵＥの対応する各ベアラにデータ転送が存在するかについての、ソース４Ｇ基地局から決定された指示を含む。
前記プロセッサ６３０は、前記データ転送情報、設定されたＱｏＳフロー、およびベアラとＱｏＳフローとのマッピング関係に基づいて、前記ターゲットＵＥの５Ｇ基地局の転送トンネル情報を設定することに用いられる。
前記トランシーバ６１０は、さらに、前記５Ｇ基地局の転送トンネル情報を前記ＡＭＦに送信することに用いられる。
【００８４】
ここで、前記トランシーバ６１０は、さらに、前記ＡＭＦから送信された切り替え要求を受信することに用いられ、
前記切り替え要求に前記データ転送情報、設定されたＱｏＳフロー、およびベアラとＱｏＳフローとのマッピング関係が付帯され、
ここで、前記データ転送情報は、前記切り替え要求のトランスペアレント・コンテナに位置し、または、前記切り替え要求の情報エレメントに位置する。
【００８５】
ここで、前記トランシーバ６１０は、さらに、前記切り替え要求に基づいて、前記５Ｇ基地局の転送トンネル情報が付帯された切り替え応答を前記ＡＭＦに送信することに用いられる。
ここで、前記データ転送情報が前記切り替え要求のトランスペアレント・コンテナに位置する場合、前記５Ｇ基地局の転送トンネル情報は、前記ターゲットＵＥの５Ｇ基地局転送トンネルおよび前記ターゲットＵＥのデータ転送が存在するベアラおよび／またはＱｏＳフローを含み、
前記データ転送情報が前記切り替え要求の情報エレメントに位置する場合、前記５Ｇ基地局の転送トンネル情報は、前記ターゲットＵＥの５Ｇ基地局転送トンネルを含む。
【００８６】
図６において、バスアーキテクチャ（バス６００で示す）は、任意数の相互接続するバスとブリッジを含む。バス６００は、プロセッサ６３０をはじめとする１つ又は複数のプロセッサとメモリ６２０をはじめとするメモリの各種類の回路が接続したものである。バス６００は、周辺イクイップメント、レギュレーター、電力管理回路などの各種類のほかの回路を接続したものであってもよい。これらは、いずれも本分野の公知事項であり、本文においてさらなる記載をしない。バスインタフェース６４０により、バス６００とトランシーバ６１０との間でインタフェースが提供される。トランシーバ６１０は、１つの部品であってもよく、複数の受信機および送信機など、複数の部品であってもよく、伝送媒体でほかの各種類の装置と通信するユニットとして提供される。プロセッサ６３０に処理されたデータは、アンテナ６５０を介して無線媒体で伝送される。さらに、アンテナ６５０は、データを受信し、データをプロセッサ６３０に伝送する。
【００８７】
プロセッサ６３０は、バス６００と通常の処理を管理し、さらに計時、周囲インタフェース、電圧調節、電源管理およびほかの制御機能など、様々な機能も提供する。メモリ６２０は、プロセッサ６３０による操作実行に用いられるデータを記憶することに用いられる。
【００８８】
選択可能に、プロセッサ６３０は、ＣＰＵ（Ｃｅｎｔｒａｌ  Ｐｒｏｃｅｓｓｉｎｇ  Ｕｎｉｔ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）またはＣＰＬＤ（Ｃｏｍｐｌｅｘ  Ｐｒｏｇｒａｍｍａｂｌｅ  Ｌｏｇｉｃ  Ｄｅｖｉｃｅ）である。
【００８９】
図７に示すように、本開示の実施例は、ＡＭＦをさらに提供する。
ＡＭＦは、
ＭＭＥから転送されるターゲットＵＥのデータ転送情報を受信し、５ＧコアネットワークからターゲットＵＥの各ベアラに設定したＱｏＳフロー、および、ベアラとＱｏＳフローとのマッピング関係を取得するための第１受信モジュール７０１と、
ここで、前記データ転送情報は、ＥＰＳから前記ターゲットＵＥに割り当てたベアラリスト、および、前記ターゲットＵＥの対応する各ベアラにデータ転送が存在するかについての、ソース４Ｇ基地局から決定された指示を含み、
前記データ転送情報、設定されたＱｏＳフロー、およびベアラとＱｏＳフローとのマッピング関係をターゲット５Ｇ基地局に送信するための第１送信モジュール７０２と、
前記ターゲット５Ｇ基地局から前記データ転送情報、設定されたＱｏＳフロー、およびベアラとＱｏＳフローとのマッピング関係に基づいて前記ターゲットＵＥに設定した５Ｇ基地局の転送トンネル情報を受信するための第２受信モジュール７０３と、
を含む。
【００９０】
ここで、前記第１受信モジュールは、さらに、ソース４Ｇ基地局から送信される切り替え要請メッセージをＭＭＥが受信した後に送信した転送リディレクト要求を受信することに用いられる。
前記切り替え要請メッセージに前記データ転送情報が付帯され、前記転送リディレクト要求に前記データ転送情報が付帯される。
ここで、前記データ転送情報は、前記切り替え要請メッセージと前記転送リディレクト要求のトランスペアレント・コンテナにそれぞれ位置し、または、前記切り替え要請メッセージと前記転送リディレクト要求の情報エレメントにそれぞれ位置する。
【００９１】
ここで、前記第１送信モジュールは、さらに、前記データ転送情報、設定されたＱｏＳフロー、およびベアラとＱｏＳフローとのマッピング関係が付帯された切り替え要求を前記ターゲット５Ｇ基地局に送信することに用いられる。
ここで、前記データ転送情報は、前記切り替え要求のトランスペアレント・コンテナに位置し、または、前記切り替え要求の情報エレメントに位置する。
【００９２】
ここで、前記第２受信モジュールは、さらに、
前記ターゲット５Ｇ基地局から前記切り替え要求に基づいて送信される切り替え応答を受信することに用いられる。
前記切り替え応答に前記５Ｇ基地局の転送トンネル情報が含まれる。
ここで、前記データ転送情報が前記切り替え要求のトランスペアレント・コンテナに位置する場合、前記５Ｇ基地局の転送トンネル情報は、前記ターゲットＵＥの５Ｇ基地局転送トンネルおよび前記ターゲットＵＥのデータ転送が存在するベアラおよび／またはＱｏＳフローを含み、
前記データ転送情報が前記切り替え要求の情報エレメントに位置する場合、前記５Ｇ基地局の転送トンネル情報は、前記ターゲットＵＥの５Ｇ基地局転送トンネルを含む。
【００９３】
ここで、前記ＡＭＦは、
前記５Ｇ基地局の転送トンネル情報に基づき、５Ｇコアネットワークから前記ターゲットＵＥに設定した５Ｇコアネットワークの転送トンネルを取得し、前記５Ｇコアネットワークの転送トンネルを前記ＭＭＥに送信し、
前記ＭＭＥから前記ターゲットＵＥに４Ｇコアネットワークの転送トンネルを再度割り当て、前記４Ｇコアネットワークの転送トンネルをソース４Ｇ基地局に送信するための処理モジュールをさらに含む。
【００９４】
なお、当該ＡＭＦは、上記実施例１のデータ転送トンネル決定方法を応用した機器であり、上記実施例１のデータ転送トンネル決定方法の実施例の実現方式が当該機器に適用し、同一の技術効果を奏することもできる。
【００９５】
本発明の実施例のＡＭＦにおいて、ＥＰＳから５Ｇシステムへの切り替えフローで、既存のメッセージでデータ転送の関連情報を付帯してターゲット５Ｇ基地局に知らせ、切り替え待ちのターゲットＵＥに５Ｇ基地局の転送トンネルを設定し、ＡＭＦが５Ｇコアネットワークのネットワーク要素から５Ｇコアネットワークの転送トンネルを取得してＭＭＥに知らせ、ＭＭＥが４Ｇコアネットワークの転送トンネルをターゲットＵＥに割り当てソース４Ｇ基地局に送信することによって、従来技術のＥＰＳシステムに影響を与えず、シグナリングの損耗を増加させずに、ＥＰＳから５Ｇシステムへの切り替えにおけるデータ転送の転送準備を実現し、データ転送の完成を保証する。
【００９６】
図８に示すように、本開示の実施例は、４Ｇネットワークに応用される基地局をさらに提供する。
当該基地局は、
ターゲットＵＥがシステム切り替え条件を満たした場合、ＥＰＳからターゲットＵＥに割り当てたベアラリスト、および、前記ターゲットＵＥの対応する各ベアラにデータ転送が存在するかについての前記基地局から決定された指示を含むデータ転送情報をＭＭＥに送信するための第２送信モジュール８０１を含み、
ここで、前記データ転送情報は、前記ＭＭＥからＡＭＦに転送される。
【００９７】
ここで、前記第２送信モジュールは、さらに、
前記データ転送情報が付帯された切り替え要請メッセージを前記ＭＭＥに送信することに用いられる。
【００９８】
ここで、前記データ転送情報は、前記切り替え要請メッセージのトランスペアレント・コンテナに位置し、または、前記切り替え要請メッセージの情報エレメントに位置する。
【００９９】
なお、当該基地局は、上記実施例２のデータ転送トンネル決定方法を応用した基地局であり、上記実施例２のデータ転送トンネル決定方法の実施例の実現方式が当該基地局に適用し、同一の技術効果を奏することもできる。
【０１００】
本開示の実施例の基地局において、ターゲットＵＥがＥＰＳから５Ｇシステムへの切り替え条件を満たした場合、ＥＰＳからターゲットＵＥに割り当てたベアラリスト、および、当該ターゲットＵＥの対応する各ベアラにデータ転送が存在するかについての当該４Ｇ基地局から決定された指示を含むデータ転送情報を生成してＭＭＥに送信し、当該ＭＭＥからＡＭＦに転送する。その後、ＡＭＦによってターゲット５Ｇ基地局に転送される。よって、４ＧシステムでターゲットＵＥのトラフィック処理状況を当該ターゲット５Ｇ基地局に知らせ、５Ｇ基地局の転送トンネル設定を行う。従来技術のＥＰＳシステムに影響を与えず、シグナリングの損耗を増加させずに、ＥＰＳから５Ｇシステムへの切り替えでのデータ転送をより簡単に実現させることができる。
【０１０１】
図９に示すように、本開示の実施例は、５Ｇネットワークに応用される基地局をさらに提供する。
当該基地局は、
ＡＭＦから送信されるターゲットＵＥのデータ転送情報、設定されたＱｏＳフロー、およびベアラとＱｏＳフローとのマッピング関係を受信するための第３受信モジュール９０１と、
ここで、前記データ転送情報は、ＥＰＳからターゲットＵＥに割り当てたベアラリスト、および、前記ターゲットＵＥの対応する各ベアラにデータ転送が存在するかについての、ソース４Ｇ基地局から決定された指示を含み、
前記データ転送情報、設定されたＱｏＳフロー、およびベアラとＱｏＳフローとのマッピング関係に基づいて、前記ターゲットＵＥの５Ｇ基地局の転送トンネル情報を設定するための設定モジュール９０２と、
前記５Ｇ基地局の転送トンネル情報を前記ＡＭＦに送信するための第３送信モジュール９０３と、
を含む。
【０１０２】
ここで、前記第３受信モジュールは、さらに、
前記ＡＭＦから送信された切り替え要求を受信することに用いられ、
前記切り替え要求に前記データ転送情報、設定されたＱｏＳフロー、およびベアラとＱｏＳフローとのマッピング関係が付帯された。
ここで、前記データ転送情報は、前記切り替え要求のトランスペアレント・コンテナに位置し、または、前記切り替え要求の情報エレメントに位置する。
【０１０３】
ここで、前記第３送信モジュールは、さらに、
前記切り替え要求に基づいて、前記５Ｇ基地局の転送トンネル情報が付帯された切り替え応答を前記ＡＭＦに送信することに用いられる。
ここで、前記データ転送情報が前記切り替え要求のトランスペアレント・コンテナに位置する場合、前記５Ｇ基地局の転送トンネル情報は、前記ターゲットＵＥの５Ｇ基地局転送トンネルおよび前記ターゲットＵＥのデータ転送が存在するベアラおよび／またはＱｏＳフローを含み、
前記データ転送情報が前記切り替え要求の情報エレメントに位置する場合、前記５Ｇ基地局の転送トンネル情報は、前記ターゲットＵＥの５Ｇ基地局転送トンネルを含む。
【０１０４】
なお、当該基地局は、上記実施例３のデータ転送トンネル決定方法を応用した基地局であり、上記実施例３のデータ転送トンネル決定方法の実施例の実現方式が当該基地局に適用し、同一の技術効果を奏することもできる。
【０１０５】
本開示の実施例の基地局において、ＡＭＦから送信されたデータ転送情報、設定されたＱｏＳフロー、およびベアラとＱｏＳフローとのマッピング関係を受信すると、ターゲットＵＥのベアラで転送データが存在するベアラを知ることができ、５Ｇコアネットワークから、転送データが存在するベアラにＱｏＳフローを設定する。さらに、当該ターゲットＵＥに５Ｇ基地局の転送トンネル情報を正確に設定してＡＭＦに送信する。従来技術のＥＰＳシステムに影響を与えず、シグナリングの損耗を増加させずに、のちのデータ転送の完成を保証し、ＥＰＳから５Ｇシステムへの切り替えでのデータ転送をより簡単に実現させることができる。
【０１０６】
本開示の実施例は、コンピュータプログラムが格納されているコンピュータ読み取り可能な記憶媒体をさらに提供する。前記コンピュータプログラムがプロセッサによって実行されると、上記のＡＭＦに応用されるデータ転送トンネル決定方法のステップが実現される。
【０１０７】
本開示の実施例は、コンピュータプログラムが格納されているコンピュータ読み取り可能な記憶媒体をさらに提供する。前記コンピュータプログラムがプロセッサによって実行されると、上記の４Ｇシステム基地局に応用されるデータ転送トンネル決定方法のステップが実現される。
【０１０８】
本開示の実施例は、コンピュータプログラムが格納されているコンピュータ読み取り可能な記憶媒体をさらに提供する。前記コンピュータプログラムがプロセッサによって実行されると、上記の５Ｇシステム基地局に応用されるデータ転送トンネル決定方法のステップが実現される。
【０１０９】
ここで、前記のコンピュータ読み取り可能な記憶媒体は、たとえば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなどである。
【０１１０】
なお、この明細書に記載の多くの機能的部材は、その実現方式の独立性を強調するために、モジュールと称される。
【０１１１】
本開示の実施例において、モジュールは、各種類のタイプのプロセッサによって実行されるよう、ソフトウェアによって実現される。たとえば、１つの標識される実行可能なコードモジュールは、コンピュータ指令の１つまたは複数の物理または論理ブロックを含み、たとえば、対象、プロセスまたは関数として構築される。それにかかわらず、標識されるモジュールの実行可能なコードは、物理的に一緒に位置する必要がなく、異なるビットに記憶される異なる指令を含み、これらの指令が論理的に結合すると、モジュールを構成して当該モジュールの所定の目的を実現する。
【０１１２】
実際に、実行可能なコードモジュールは、１つまたは複数の指令であり、異なるコードセグメント、異なるプログラムに位置してもよく、複数の記憶機器を跨いで位置してもよい。同様に、オペレーティングデータは、モジュール内で識別可能であり、あらゆる適切な形式で実現可能であり、あらゆる適切なタイプのデータ構造に組織されることもできる。前記オペレーティングデータは、単一のデータセットとして収集され、または異なる位置に分布し（異なる記憶機器にあることを含む）、少なくとも一部が電子信号のみとしてシステムまたはネットワークに存在する。
【０１１３】
モジュールがソフトウェアによって実現可能である場合、関連技術でハードウェア工程のレベルを考慮し、ソフトウェアで実現可能なモジュールは、コストを考慮しない場合、当業者が対応するハードウェア回路を構築して対応な機能を実現することができる。前記ハードウェア回路は、通常のＶＬＳＬ（Ｖｅｒｙ  Ｌａｒｇｅ  Ｓｃａｌｅ  Ｉｎｔｅｇｒａｔｉｏｎ）回路、ゲートアレイ、または、論理チップやトランジスタといった関連技術の半導体やほかの分離素子を含む。モジュールは、フィールドプログラマブルゲートアレイ、プログラマブルアレイロジック、プログラマブルロジックデバイスなどのプログラマブルハードウェアデバイスで実現可能である。
【０１１４】
上記の例示的な実施例を、これらの図面を参照して記載したが、本開示の精神や教示を逸脱せずに多くの異なる形態および実施例は可能である。よって、本開示は、ここで言及されている例示的な実施例の制限として構築されてはならない。より適切に言うと、これらの例示的な実施例は、本開示を完璧で完全なものにしかつ本開示の範囲を当業者に伝えるために提供される。これらの図面では、明晰を図るために、構成のサイズおよび相対的なサイズは、誇張されることがある。ここで使用されている用語は、特定の例示的な実施例を記載するという目的に基づいたものであり、制限のためのものとする意図がない。たとえば、明細書で明確な断りがなければ、単数形式の「１」、「一つ」および「当該」は、複数の形態も含むことを意図とする。さらに、用語「含む」および／または「含有」は、本明細書に用いられる場合、記載された特徴、整数、ステップ、操作、要素及び／又は構成要素の存在を示すが、１つまたは複数の他の特徴、整数、ステップ、操作、要素、構成要素及び／又はその集合の存在または追加を排除しない。ほかに断りがなければ、記載の際に、一つの値の範囲は、当該範囲の上限、下限およびその間の任意のサブ範囲を含む。
【０１１５】
以上記載されたのは、本開示の好適な実施形態である。当業者は、本開示に記載されている原理を逸脱せずに様々な改良や修飾をすることもできる。これらの改良や修飾も、本開示の保護範囲として見なされるべきである。
【図１】
2021503769.tif 000003
【図２】
2021503769.tif 000004
【図３】
2021503769.tif 000005
【図４】
2021503769.tif 000006
【図５】
2021503769.tif 000007
【図６】
2021503769.tif 000008
【図７】
2021503769.tif 000009
【図８】
2021503769.tif 000010
【図９】
2021503769.tif 000011
【手続補正書】
【提出日】令和2年5月21日(2020.5.21)
【手続補正１】
【補正対象書類名】特許請求の範囲
【補正対象項目名】全文
【補正方法】変更
【補正の内容】
【特許請求の範囲】
【請求項１】
ＡＭＦ（Ａｃｅｓｓ  ａｎｄ  Ｍｏｂｉｌｉｔｙ  Ｍａｎａｇｅｍｅｎｔ  Ｆｕｎｃｔｉｏｎ）に応用されるデータ転送トンネル決定方法において、
ＭＭＥ（Ｍｏｂｉｌｉｔｙ  Ｍａｎａｇｅｍｅｎｔ  Ｅｎｔｉｔｙ）から転送されるターゲットＵＥ（Ｕｓｅｒ  Ｅｑｕｉｐｍｅｎｔ）のデータ転送情報を受信し、５Ｇ（５ｔｈ−Ｇｅｎｅｒａｔｉｏｎ）コアネットワークからターゲットＵＥの各ベアラに設定したＱｏＳ（Ｑｕａｌｉｔｙ  ｏｆ  Ｓｅｒｖｉｃｅ）フロー、および、ベアラとＱｏＳフローとのマッピング関係を取得することと、
ここで、前記データ転送情報は、ＥＰＳ（Ｅｖｏｌｖｅｄ  Ｐａｃｋｅｔ  Ｓｙｓｔｅｍ）から前記ターゲットＵＥに割り当てたベアラリスト、および、前記ターゲットＵＥの対応する各ベアラにデータ転送が存在するかについての、ソース４Ｇ（４ｔｈ−Ｇｅｎｅｒａｔｉｏｎ）基地局から決定された指示を含み、
前記データ転送情報、設定されたＱｏＳフロー、およびベアラとＱｏＳフローとのマッピング関係を、ターゲット５Ｇ基地局に送信することと、
前記ターゲット５Ｇ基地局から前記データ転送情報、設定されたＱｏＳフロー、およびベアラとＱｏＳフローとのマッピング関係に基づいて前記ターゲットＵＥに設定した５Ｇ基地局の転送トンネル情報を受信することと、
を含む、データ転送トンネル決定方法。
【請求項２】
前記ＭＭＥから転送されるターゲットＵＥのデータ転送情報を受信することは、
ソース４Ｇ基地局から送信される切り替え要請メッセージをＭＭＥが受信した後に送信した転送リディレクト要求を受信することを含み、
前記切り替え要請メッセージに前記データ転送情報が付帯され、前記転送リディレクト要求に前記データ転送情報が付帯され、
ここで、前記データ転送情報は、前記切り替え要請メッセージと前記転送リディレクト要求のトランスペアレント・コンテナにそれぞれ位置し、または、前記切り替え要請メッセージと前記転送リディレクト要求の情報エレメントにそれぞれ位置する、請求項１に記載のデータ転送トンネル決定方法。
【請求項３】
前記データ転送情報、設定されたＱｏＳフロー、およびベアラとＱｏＳフローとのマッピング関係をターゲット５Ｇ基地局に送信することは、
前記データ転送情報、設定されたＱｏＳフロー、およびベアラとＱｏＳフローとのマッピング関係が付帯された切り替え要求を前記ターゲット５Ｇ基地局に送信することを含み、
ここで、前記データ転送情報は、前記切り替え要求のトランスペアレント・コンテナに位置し、または、前記切り替え要求の情報エレメントに位置する、請求項１に記載のデータ転送トンネル決定方法。
【請求項４】
前記ターゲット５Ｇ基地局から前記ターゲットＵＥに設定した５Ｇ基地局の転送トンネル情報を受信することは、
前記ターゲット５Ｇ基地局から前記切り替え要求に基づいて送信される切り替え応答を受信することを含み、
前記切り替え応答に前記５Ｇ基地局の転送トンネル情報が含まれ、
ここで、前記データ転送情報が前記切り替え要求のトランスペアレント・コンテナに位置する場合、前記５Ｇ基地局の転送トンネル情報は、前記ターゲットＵＥの５Ｇ基地局転送トンネルおよび前記ターゲットＵＥのデータ転送が存在するベアラおよび／またはＱｏＳフローを含み、
前記データ転送情報が前記切り替え要求の情報エレメントに位置する場合、前記５Ｇ基地局の転送トンネル情報は、前記ターゲットＵＥの５Ｇ基地局転送トンネルを含む、請求項３に記載のデータ転送トンネル決定方法。
【請求項５】
前記５Ｇ基地局の転送トンネル情報に基づき、５Ｇコアネットワークから前記ターゲットＵＥに設定した５Ｇコアネットワークの転送トンネルを取得し、前記５Ｇコアネットワークの転送トンネルを前記ＭＭＥに送信し、前記ＭＭＥから前記ターゲットＵＥに４Ｇコアネットワークの転送トンネルを再度割り当て、前記４Ｇコアネットワークの転送トンネルをソース４Ｇ基地局に送信することをさらに含む、請求項１に記載のデータ転送トンネル決定方法。
【請求項６】
４Ｇ基地局に応用されるデータ転送トンネル決定方法において、
ターゲットＵＥがシステム切り替え条件を満たした場合、データ転送情報をＭＭＥに送信し、前記ＭＭＥから前記データ転送情報をＡＭＦに転送することを含み、
ここで、前記データ転送情報は、ＥＰＳからターゲットＵＥに割り当てたベアラリスト、および、前記ターゲットＵＥの対応する各ベアラにデータ転送が存在するかについての、前記４Ｇ基地局から決定された指示を含む、データ転送トンネル決定方法。
【請求項７】
前記データ転送情報をＭＭＥに送信することは、
前記データ転送情報が付帯された切り替え要請メッセージを前記ＭＭＥに送信することを含む、請求項６に記載のデータ転送トンネル決定方法。
【請求項８】
前記データ転送情報は、前記切り替え要請メッセージのトランスペアレント・コンテナに位置し、または、前記切り替え要請メッセージの情報エレメントに位置する、請求項７に記載のデータ転送トンネル決定方法。
【請求項９】
５Ｇ基地局に応用されるデータ転送トンネル決定方法において、
ＡＭＦから送信されるターゲットＵＥのデータ転送情報、設定されたＱｏＳフロー、およびベアラとＱｏＳフローとのマッピング関係を受信することと、
ここで、前記データ転送情報は、ＥＰＳからターゲットＵＥに割り当てたベアラリスト、および、前記ターゲットＵＥの対応する各ベアラにデータ転送が存在するかについての、ソース４Ｇ基地局から決定された指示を含み、
前記データ転送情報、設定されたＱｏＳフロー、およびベアラとＱｏＳフローとのマッピング関係に基づいて、前記ターゲットＵＥの５Ｇ基地局の転送トンネル情報を設定することと、
前記５Ｇ基地局の転送トンネル情報を前記ＡＭＦに送信することと、
を含む、データ転送トンネル決定方法。
【請求項１０】
前記ＡＭＦから送信されるターゲットＵＥのデータ転送情報、設定されたＱｏＳフロー、およびベアラとＱｏＳフローとのマッピング関係を受信することは、
前記ＡＭＦから送信された切り替え要求を受信することを含み、
前記切り替え要求に前記データ転送情報、設定されたＱｏＳフロー、およびベアラとＱｏＳフローとのマッピング関係が付帯され、
ここで、前記データ転送情報は、前記切り替え要求のトランスペアレント・コンテナに位置し、または、前記切り替え要求の情報エレメントに位置する、請求項９に記載のデータ転送トンネル決定方法。
【請求項１１】
前記５Ｇ基地局の転送トンネル情報を前記ＡＭＦに送信することは、
前記切り替え要求に基づいて、前記５Ｇ基地局の転送トンネル情報が付帯された切り替え応答を前記ＡＭＦに送信することを含み、
ここで、前記データ転送情報が前記切り替え要求のトランスペアレント・コンテナに位置する場合、前記５Ｇ基地局の転送トンネル情報は、前記ターゲットＵＥの５Ｇ基地局転送トンネルおよび前記ターゲットＵＥのデータ転送が存在するベアラおよび／またはＱｏＳフローを含み、
前記データ転送情報が前記切り替え要求の情報エレメントに位置する場合、前記５Ｇ基地局の転送トンネル情報は、前記ターゲットＵＥの５Ｇ基地局転送トンネルを含む、請求項１０に記載のデータ転送トンネル決定方法。
【請求項１２】
ＭＭＥから転送されるターゲットＵＥのデータ転送情報を受信し、５ＧコアネットワークからターゲットＵＥの各ベアラに設定したＱｏＳフロー、および、ベアラとＱｏＳフローとのマッピング関係を取得するための第１受信モジュールと、
ここで、前記データ転送情報は、ＥＰＳから前記ターゲットＵＥに割り当てたベアラリスト、および、前記ターゲットＵＥの対応する各ベアラにデータ転送が存在するかについての、ソース４Ｇ基地局から決定された指示を含み、
前記データ転送情報、設定されたＱｏＳフロー、およびベアラとＱｏＳフローとのマッピング関係を、ターゲット５Ｇ基地局に送信するための第１送信モジュールと、
前記ターゲット５Ｇ基地局から前記データ転送情報、設定されたＱｏＳフロー、およびベアラとＱｏＳフローとのマッピング関係に基づいて前記ターゲットＵＥに設定した５Ｇ基地局の転送トンネル情報を受信するための第２受信モジュールと、
を含む、ＡＭＦ。
【請求項１３】
４Ｇネットワークに応用される基地局において、
ターゲットＵＥがシステム切り替え条件を満たした場合、データ転送情報をＭＭＥに送信し、前記ＭＭＥから前記データ転送情報をＡＭＦに転送するための第２送信モジュールを含み、
ここで、前記データ転送情報は、ＥＰＳからターゲットＵＥに割り当てたベアラリスト、および、前記ターゲットＵＥの対応する各ベアラにデータ転送が存在するかについての、前記基地局から決定された指示を含む、基地局。
【請求項１４】
５Ｇネットワークに応用される基地局において、
ＡＭＦから送信されるターゲットＵＥのデータ転送情報、設定されたＱｏＳフロー、およびベアラとＱｏＳフローとのマッピング関係を受信するための第３受信モジュールと、
ここで、前記データ転送情報は、ＥＰＳからターゲットＵＥに割り当てたベアラリスト、および、前記ターゲットＵＥの対応する各ベアラにデータ転送が存在するかについての、ソース４Ｇ基地局から決定された指示を含み、
前記データ転送情報、設定されたＱｏＳフロー、およびベアラとＱｏＳフローとのマッピング関係に基づいて、前記ターゲットＵＥの５Ｇ基地局の転送トンネル情報を設定するための設定モジュールと、
前記５Ｇ基地局の転送トンネル情報を前記ＡＭＦに送信するための第３送信モジュールと、
を含む、基地局。
【請求項１５】
コンピュータプログラムが格納されているコンピュータ読み取り可能な記憶媒体であって、
前記コンピュータプログラムがプロセッサによって実行されると、請求項１〜５のいずれか一項に記載のデータ転送トンネル決定方法のステップが実現され、
または
前記コンピュータプログラムがプロセッサによって実行されると、請求項６〜８のいずれか一項に記載のデータ転送トンネル決定方法のステップが実現され、
または
前記コンピュータプログラムがプロセッサによって実行されると、請求項９〜１１のいずれか一項に記載のデータ転送トンネル決定方法のステップが実現される、コンピュータ読み取り可能な記憶媒体。
【国際調査報告】
2021503769.tif 000012
2021503769.tif 000013
2021503769.tif 000014
2021503769.tif 000015